(57)【要約】  ユーザ機器（ＵＥ）が基地局または他のアクセスポイントのカバレージエリアの外部にあり得、それにより、ＵＥによる、コアネットワーク、サーバなどのアクセスが妨害され得る。したがって、ＵＥが、基地局またはアクセスポイントによって与えられるカバレージエリアの外部にあるとき、ＵＥはアクセスリソースへのリレー接続を確立し得る。諸態様では、装置が、リレーＵＥのセットに、リレー接続の確立に関連付けられた第１のメッセージを送信するように構成され得る。本装置は、リレーＵＥのセットからメッセージのセットを受信するようにさらに構成され得る。本装置は、リレーＵＥのセットのうちの第１のリレーＵＥからの、メッセージのセットのうちのメッセージに基づいて、第１のリレーＵＥとのリレー接続を確立するようにさらに構成され得る。
2018512803.tif 000002
【特許請求の範囲】
【請求項１】
ユーザ機器（ＵＥ）のワイヤレス通信のための方法であって、前記方法は、
リレーＵＥのセットに、リレー接続の確立に関連付けられた第１のメッセージを送信することと、ここで、前記第１のメッセージが前記ＵＥの第１の識別子を含むためのものである、
前記ＵＥによって、リレーＵＥの前記セットから第２のメッセージのセットを受信することと、ここで、第２のメッセージの前記セットのうちの各第２のメッセージが、リレーＵＥの前記セットのうちのそれぞれのリレーＵＥのそれぞれの識別子を含むためのものである、
リレーＵＥの前記セットのうちの第１のリレーＵＥからの、第２のメッセージの前記セットのうちの第１の第２のメッセージに基づいて、前記第１のリレーＵＥとの前記リレー接続を確立することと
を備える、方法。
【請求項２】
前記ＵＥによって、第２のメッセージの前記セットのうちの前記第１の第２のメッセージに基づいて、リレーＵＥの前記セットのうちの前記第１のリレーＵＥに第３のメッセージを送信することをさらに備え、前記第３のメッセージは、前記第１のリレーＵＥとの前記リレー接続が確立されるべきであることを確認するためのものである、
請求項１に記載の方法。
【請求項３】
前記ＵＥによって、第２のメッセージの前記セットのうちの別の第２のメッセージに基づいて、リレーＵＥの前記セットのうちの第２のリレーＵＥに第４のメッセージを送信することをさらに備え、前記第４のメッセージが、前記第２のリレーＵＥとのリレー接続の確立を拒否するためのものである、
請求項２に記載の方法。
【請求項４】
前記ＵＥによって、リレーＵＥの前記セットのうちの第２のリレーＵＥに第４のメッセージを送信することを控えること
をさらに備える、請求項２に記載の方法。
【請求項５】
前記第１のメッセージは、前記リレー接続に関連付けられたサービス要件、前記ＵＥが前記リレー接続を通して接続すべきであるワイヤレス通信ネットワークの識別情報、任意のワイヤレス通信ネットワークとの前記リレー接続を確立するとの指示、またはリレーＵＥの前記セットのうちの少なくとも１つのリレーＵＥに関連付けられた少なくとも１つの識別子のうちの１つまたは複数をさらに含む、請求項１に記載の方法。
【請求項６】
前記第１のメッセージが、物理サイドリンク発見チャネル（ＰＳＤＣＨ）上でブロードキャストされる近接ベースサービス（ＰｒｏＳｅ）発見メッセージを備える、請求項１に記載の方法。
【請求項７】
前記第２のメッセージが、物理サイドリンク共有チャネル（ＰＳＳＣＨ）を介して受信されるリレー関連付けメッセージを備え、ここにおいて、対応するスケジューリング割当てが物理サイドリンク制御チャネル（ＰＳＣＣＨ）を介して受信される、請求項１に記載の方法。
【請求項８】
前記第１の識別子および前記それぞれの識別子がリンクレイヤ識別子である、請求項１に記載の方法。
【請求項９】
前記ＵＥによって、リレーＵＥの前記セットのうちの前記第１のリレーＵＥに第５のメッセージを送信することをさらに備え、前記第５のメッセージが、前記リレー接続を終了するためのものである、
請求項１に記載の方法。
【請求項１０】
第２のメッセージの前記セットのうちの別の第２のメッセージに基づいて、リレーＵＥの前記セットのうちの第２のリレーＵＥに関連付けられた情報を記憶すること
をさらに備える、請求項１に記載の方法。
【請求項１１】
前記記憶された情報に基づいて前記第２のリレーＵＥとの別のリレー接続を確立すること
をさらに備える、請求項１０に記載の方法。
【請求項１２】
ユーザ機器（ＵＥ）によるワイヤレス通信のための装置であって、
リレーＵＥのセットに、リレー接続の確立に関連付けられた第１のメッセージを送信するための手段と、ここで、前記第１のメッセージが前記ＵＥの第１の識別子を含むためのものである、
前記ＵＥによって、リレーＵＥの前記セットから第２のメッセージのセットを受信するための手段と、ここで、第２のメッセージの前記セットのうちの各第２のメッセージが、リレーＵＥの前記セットのうちのそれぞれのリレーＵＥのそれぞれの識別子を含むためのものである、
リレーＵＥの前記セットのうちの第１のリレーＵＥからの、第２のメッセージの前記セットのうちの第１の第２のメッセージに基づいて、前記第１のリレーＵＥとの前記リレー接続を確立するための手段と
を備える、装置。
【請求項１３】
送信するための前記手段が、第２のメッセージの前記セットのうちの前記第１の第２のメッセージに基づいて、リレーＵＥの前記セットのうちの前記第１のリレーＵＥに第３のメッセージを送信するようにさらに構成され、前記第３のメッセージは、前記第１のリレーＵＥとの前記リレー接続が確立されるべきであることを確認するためのものである、請求項１２に記載の装置。
【請求項１４】
送信するための前記手段が、第２のメッセージの前記セットのうちの別の第２のメッセージに基づいて、リレーＵＥの前記セットのうちの第２のリレーＵＥに第４のメッセージを送信するようにさらに構成され、前記第４のメッセージが、前記第２のリレーＵＥとのリレー接続の確立を拒否するためのものである、請求項１２に記載の装置。
【請求項１５】
送信するための前記手段が、リレーＵＥの前記セットのうちの第２のリレーＵＥに第４のメッセージを送信することを控えるようにさらに構成された、請求項１２に記載の装置。
【請求項１６】
前記第１のメッセージは、前記リレー接続に関連付けられたサービス要件、前記ＵＥが前記リレー接続を通して接続すべきであるワイヤレス通信ネットワークの識別情報、任意のワイヤレス通信ネットワークとの前記リレー接続を確立するとの指示、またはリレーＵＥの前記セットのうちの少なくとも１つのリレーＵＥに関連付けられた少なくとも１つの識別子のうちの１つまたは複数をさらに含む、請求項１２に記載の装置。
【請求項１７】
前記第１のメッセージが、物理サイドリンク発見チャネル（ＰＳＤＣＨ）上でブロードキャストされる近接ベースサービス（ＰｒｏＳｅ）発見メッセージを備える、請求項１２に記載の装置。
【請求項１８】
前記第２のメッセージが、物理サイドリンク共有チャネル（ＰＳＳＣＨ）を介して受信されるリレー関連付けメッセージを備え、ここにおいて、対応するスケジューリング割当てが物理サイドリンク制御チャネル（ＰＳＣＣＨ）を介して受信される、請求項１２に記載の装置。
【請求項１９】
前記第１の識別子および前記それぞれの識別子がリンクレイヤ識別子である、請求項１２に記載の装置。
【請求項２０】
さらに、送信するための前記手段が、リレーＵＥの前記セットのうちの前記第１のリレーＵＥに第５のメッセージを送信するようにさらに構成され、前記第５のメッセージが、前記リレー接続を終了するためのものである、請求項１２に記載の装置。
【請求項２１】
第２のメッセージの前記セットのうちの別の第２のメッセージに基づいて、リレーＵＥの前記セットのうちの第２のリレーＵＥに関連付けられた情報を記憶するための手段
をさらに備える、請求項１２に記載の装置。
【請求項２２】
前記リレー接続を確立するための前記手段が、前記記憶された情報に基づいて前記第２のリレーＵＥとの別のリレー接続を確立するようにさらに構成された、請求項２１に記載の装置。
【請求項２３】
ユーザ機器（ＵＥ）によるワイヤレス通信のための装置であって、
メモリと、
前記メモリに結合された少なくとも１つのプロセッサと
を備え、前記少なくとも１つのプロセッサは、
リレーＵＥのセットに、リレー接続の確立に関連付けられた第１のメッセージを送信することと、ここで、前記第１のメッセージが前記ＵＥの第１の識別子を含むためのものである、
リレーＵＥの前記セットから第２のメッセージのセットを受信することと、ここで、第２のメッセージの前記セットのうちの各第２のメッセージが、リレーＵＥの前記セットのうちのそれぞれのリレーＵＥのそれぞれの識別子を含むためのものである、
リレーＵＥの前記セットのうちの第１のリレーＵＥからの、第２のメッセージの前記セットのうちの第１の第２のメッセージに基づいて、前記第１のリレーＵＥとの前記リレー接続を確立することと
を行うように構成された、装置。
【請求項２４】
前記少なくとも１つのプロセッサが、第２のメッセージの前記セットのうちの前記第１の第２のメッセージに基づいて、リレーＵＥの前記セットのうちの前記第１のリレーＵＥに第３のメッセージを送信するようにさらに構成され、前記第３のメッセージは、前記第１のリレーＵＥとの前記リレー接続が確立されるべきであることを確認するためのものである、請求項２３に記載の装置。
【請求項２５】
前記少なくとも１つのプロセッサが、第２のメッセージの前記セットのうちの別の第２のメッセージに基づいて、リレーＵＥの前記セットのうちの第２のリレーＵＥに第４のメッセージを送信するようにさらに構成され、前記第４のメッセージが、前記第２のリレーＵＥとのリレー接続の確立を拒否するためのものである、請求項２３に記載の装置。
【請求項２６】
前記少なくとも１つのプロセッサが、リレーＵＥの前記セットのうちの第２のリレーＵＥに第４のメッセージを送信することを控えるようにさらに構成された、請求項２３に記載の装置。
【請求項２７】
前記第１のメッセージは、前記リレー接続に関連付けられたサービス要件、前記ＵＥが前記リレー接続を通して接続すべきであるワイヤレス通信ネットワークの識別情報、任意のワイヤレス通信ネットワークとの前記リレー接続を確立するとの指示、またはリレーＵＥの前記セットのうちの少なくとも１つのリレーＵＥに関連付けられた少なくとも１つの識別子のうちの１つまたは複数をさらに含む、請求項２３に記載の装置。
【請求項２８】
前記第１のメッセージが、物理サイドリンク発見チャネル（ＰＳＤＣＨ）上でブロードキャストされる近接ベースサービス（ＰｒｏＳｅ）発見メッセージを備える、請求項２３に記載の装置。
【請求項２９】
前記第２のメッセージが、物理サイドリンク共有チャネル（ＰＳＳＣＨ）を介して受信されるリレー関連付けメッセージを備え、ここにおいて、対応するスケジューリング割当てが物理サイドリンク制御チャネル（ＰＳＣＣＨ）を介して受信される、請求項２３に記載の装置。
【請求項３０】
ユーザ機器（ＵＥ）によるワイヤレス通信のためのコンピュータ実行可能コードを記憶するコンピュータ可読媒体であって、
リレーＵＥのセットに、リレー接続の確立に関連付けられた第１のメッセージを送信することと、ここで、前記第１のメッセージが前記ＵＥの第１の識別子を含むためのものである、
前記ＵＥによって、リレーＵＥの前記セットから第２のメッセージのセットを受信することと、ここで、第２のメッセージの前記セットのうちの各第２のメッセージが、リレーＵＥの前記セットのうちのそれぞれのリレーＵＥのそれぞれの識別子を含むためのものである、
リレーＵＥの前記セットのうちの第１のリレーＵＥからの、第２のメッセージの前記セットのうちの第１の第２のメッセージに基づいて、前記第１のリレーＵＥとの前記リレー接続を確立することと
を行うためのコードを備える、コンピュータ可読媒体。
【発明の詳細な説明】
【技術分野】
【０００１】
関連出願の相互参照
[0001]本出願は、その全体が参照により本明細書に明確に組み込まれる、２０１５年３月２５日に出願された「RELAY DISCOVERY AND ASSOCIATION MESSAGES」と題する米国仮出願第６２／１３８，２８８号、および２０１６年３月９日に出願された「RELAY DISCOVERY AND ASSOCIATION MESSAGES」と題する米国特許出願第１５／０６５，５５２号の利益を主張する。
【０００２】
[0002]本開示は、一般に通信システムに関し、より詳細には、リレーデバイスを使用して通信リンクを確立することに関する。
【背景技術】
【０００３】
[0003]ワイヤレス通信システムは、電話、ビデオ、データ、メッセージング、およびブロードキャストなど、様々な電気通信サービスを提供するために広く展開されている。典型的なワイヤレス通信システムは、利用可能なシステムリソースを共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]これらの多元接続技術は、様々なワイヤレスデバイスが都市、国家、地域、さらには地球規模で通信することを可能にする共通プロトコルを提供するために、様々な電気通信規格において採用されている。例示的な電気通信規格はロングタームエボリューション（ＬＴＥ（登録商標））である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、ダウンリンク上ではＯＦＤＭＡを使用し、アップリンク上ではＳＣ−ＦＤＭＡを使用し、多入力多出力（ＭＩＭＯ）アンテナ技術を使用して、スペクトル効率の改善、コストの低下、およびサービスの改善を通して、モバイルブロードバンドアクセスをサポートするように設計されている。しかしながら、モバイルブロードバンドアクセスに対する需要が増加し続けるにつれて、ＬＴＥ技術のさらなる改善が必要である。これらの改善はまた、他の多元接続技術と、これらの技術を採用する電気通信規格とに適用可能であり得る。
【発明の概要】
【０００５】
[0005]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示されるより詳細な説明の導入として、１つまたは複数の態様のいくつかの概念を簡略化された形で提示することである。
【０００６】
[0006]いくつかのワイヤレス通信システムでは、基地局は、ユーザ機器（ＵＥ）に、たとえば、コアネットワークまたはサーバへのアクセスポイントを与え得る。しかしながら、基地局のカバレージエリアは制限され得る。したがって、ＵＥは基地局のカバレージエリアの外部にあり得、それにより、ＵＥによる、基地局を通したコアネットワーク、サーバなどのアクセスが妨害され得る。本開示は、たとえば、ＵＥがカバレージエリアの外側にあり、干渉などにより基地局からの信号を復号することができないとき、ＵＥがリレーデバイスを通して基地局に接続することを可能にするいくつかの態様について説明する。本開示は、ＵＥが、リレー接続を確立することに関連付けられたメッセージを送信し、次いで、メッセージに応答するリレーデバイスに接続する手法について説明する。
【０００７】
[0007]本開示の一態様では、方法、コンピュータ可読媒体、および装置が提供される。本装置は、リレーＵＥのセットに、リレー接続の確立に関連付けられた第１のメッセージを送信するように構成され得る。一態様では、第１のメッセージは本装置の識別子（ＩＤ）を含み得る。本装置は、リレーＵＥのセットからメッセージのセットを受信するようにさらに構成され得る。諸態様では、メッセージのセットのうちの各メッセージは、リレーＵＥのセットのうちのそれぞれのリレーＵＥのそれぞれのＩＤを含み得る。本装置は、リレーＵＥのセットのうちの第１のリレーＵＥからの、メッセージのセットのうちのメッセージに基づいて、第１のリレーＵＥとのリレー接続を確立するようにさらに構成され得る。
【０００８】
[0008]上記および関係する目的を達成するために、１つまたは複数の態様は、以下で十分に説明され、特に特許請求の範囲で指摘される特徴を備える。以下の説明および添付の図面は、１つまたは複数の態様のいくつかの例示的な特徴を詳細に記載する。ただし、これらの特徴は、様々な態様の原理が採用され得る様々な方法のうちのほんのいくつかを示すものであり、この説明は、すべてのそのような態様およびそれらの均等物を含むものとする。
【図面の簡単な説明】
【０００９】
【図１】[0009]ワイヤレス通信システムおよびアクセスネットワークの一例を示す図。
【図２Ａ】[0010]ＤＬフレーム構造のＬＴＥ例を示す図。
【図２Ｂ】ＤＬフレーム構造内のＤＬチャネルのＬＴＥ例を示す図。
【図２Ｃ】ＵＬフレーム構造のＬＴＥ例を示す図
【図２Ｄ】ＵＬフレーム構造内のＵＬチャネルのＬＴＥ例を示す図。
【図３】[0011]アクセスネットワーク中の発展型ノードＢ（ｅＮＢ）およびユーザ機器（ＵＥ）の一例を示す図。
【図４】[0012]デバイス間通信システムの図。
【図５】[0013]＜（適用可能な場合、発明者によって通常提供される）本出願に固有である、非標準、固有システム／周波数／チャート／メッセージ転送図（好ましくは、ＵＥ、ｅＮＢ、送信の矢印を示す、起こっていることの視覚図）＞。
【図６】[0014]＜（適用可能な場合、発明者によって通常提供される）本出願に固有である、非標準、固有システム／周波数／チャート／メッセージ転送図＞。
【図７】[0015]＜（適用可能な場合、発明者によって通常提供される）本出願に固有である、非標準、固有システム／周波数／チャート／メッセージ転送図＞。
【図８】[0016]＜（適用可能な場合、発明者によって通常提供される）本出願に固有である、非標準、固有システム／周波数／チャート／メッセージ転送図＞。
【図９】[0017]ワイヤレス通信の方法のフローチャート。
【図１０】[0018]例示的な装置中の異なる手段／コンポーネント間のデータフローを示す概念データフロー図。
【図１１】[0019]処理システムを採用する装置のためのハードウェア実装形態の一例を示す図。
【発明を実施するための形態】
【００１０】
[0020]添付の図面に関して以下に記載される発明を実施するための形態は、様々な構成を説明するものであり、本明細書で説明される概念が実施され得る構成のみを表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの事例では、そのような概念を不明瞭にしないように、よく知られている構造およびコンポーネントがブロック図の形式で示される。
【００１１】
[0021]次に、様々な装置および方法に関して電気通信システムのいくつかの態様が提示される。これらの装置および方法は、以下の発明を実施するための形態において説明され、（「要素」と総称される）様々なブロック、コンポーネント、回路、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるか、またはソフトウェアとして実装されるかは、特定の適用例および全体的なシステムに課される設計制約に依存する。
【００１２】
[0022]例として、要素、または要素の任意の部分、または要素の任意の組合せは、１つまたは複数のプロセッサを含む「処理システム」として実装され得る。プロセッサの例としては、マイクロプロセッサ、マイクロコントローラ、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明される様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１３】
[0023]したがって、１つまたは複数の例示的な実施形態では、説明される機能は、ハードウェア、ソフトウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、光ディスクストレージ、磁気ディスクストレージ、他の磁気ストレージデバイス、上述のタイプのコンピュータ可読媒体の組合せ、あるいはコンピュータによってアクセスされ得る、命令またはデータ構造の形態のコンピュータ実行可能コードを記憶するために使用され得る任意の他の媒体を備えることができる。
【００１４】
[0024]図１は、ワイヤレス通信システムおよびアクセスネットワーク１００の一例を示す図である。（ワイヤレスワイドエリアネットワーク（ＷＷＡＮ：wireless wide area network）とも呼ばれる）ワイヤレス通信システムは、基地局１０２と、ＵＥ１０４と、発展型パケットコア（ＥＰＣ：Evolved Packet Core）１６０とを含む。基地局１０２は、マクロセル（高電力セルラー基地局）および／またはスモールセル（低電力セルラー基地局）を含み得る。マクロセルはｅＮＢを含む。スモールセルは、フェムトセル、ピコセル、およびマイクロセルを含む。
【００１５】
[0025]（発展型ユニバーサルモバイルテレコミュニケーションズシステム（ＵＭＴＳ）地上波無線アクセスネットワーク（Ｅ−ＵＴＲＡＮ）と総称される）基地局１０２は、バックホールリンク１３２（たとえば、Ｓ１インターフェース）を通してＥＰＣ１６０とインターフェースする。他の機能に加えて、基地局１０２は、以下の機能、すなわち、ユーザデータの転送と、無線チャネル暗号化および解読と、完全性保護と、ヘッダ圧縮と、モビリティ制御機能（たとえば、ハンドオーバ、デュアル接続性）と、セル間干渉協調と、接続セットアップおよび解放と、負荷分散と、非アクセス層（ＮＡＳ：non-access stratum）メッセージのための分配と、ＮＡＳノード選択と、同期と、無線アクセスネットワーク（ＲＡＮ：radio access network）共有と、マルチメディアブロードキャストマルチキャストサービス（ＭＢＭＳ：multimedia broadcast multicast service）と、加入者および機器トレースと、ＲＡＮ情報管理（ＲＩＭ：RAN information management）と、ページングと、測位と、警告メッセージの配信とのうちの１つまたは複数を実行し得る。基地局１０２は、バックホールリンク１３４（たとえば、Ｘ２インターフェース）上で互いと直接または間接的に（たとえば、ＥＰＣ１６０を通して）通信し得る。バックホールリンク１３４はワイヤードまたはワイヤレスであり得る。
【００１６】
[0026]基地局１０２はＵＥ１０４とワイヤレス通信し得る。基地局１０２の各々は、それぞれの地理的カバレージエリア１１０に通信カバレージを与え得る。重複する地理的カバレージエリア１１０があり得る。たとえば、スモールセル１０２’は、１つまたは複数のマクロ基地局１０２のカバレージエリア１１０と重複するカバレージエリア１１０’を有し得る。スモールセルとマクロセルの両方を含むネットワークが、異種ネットワークとして知られ得る。異種ネットワークはまた、限定加入者グループ（ＣＳＧ）として知られる限定グループにサービスを提供し得るホーム発展型ノードＢ（ｅＮＢ）（ＨｅＮＢ）を含み得る。基地局１０２とＵＥ１０４との間の通信リンク１２０は、ＵＥ１０４から基地局１０２への（逆方向リンクとも呼ばれる）アップリンク（ＵＬ）送信、および／または基地局１０２からＵＥ１０４への（順方向リンクとも呼ばれる）ダウンリンク（ＤＬ）送信を含み得る。通信リンク１２０は、空間多重化、ビームフォーミング、および／または送信ダイバーシティを含む、ＭＩＭＯアンテナ技術を使用し得る。通信リンクは、１つまたは複数のキャリアを通したものであり得る。基地局１０２／ＵＥ１０４は、各方向において送信のために使用される最高合計Ｙｘ  ＭＨｚ（ｘ個のコンポーネントキャリア）のキャリアアグリゲーションにおいて割り振られた、キャリアごとの最高Ｙ  ＭＨｚ（たとえば、５、１０、１５、２０ＭＨｚ）帯域幅のスペクトルを使用し得る。キャリアは、互いに隣接することも隣接しないこともある。キャリアの割振りは、ＤＬとＵＬとに対して非対称であり得る（たとえば、ＤＬの場合、ＵＬの場合よりも多いまたは少ないキャリアが割り振られ得る）。コンポーネントキャリアは、１次コンポーネントキャリアと、１つまたは複数の２次コンポーネントキャリアとを含み得る。１次コンポーネントキャリアは１次セル（ＰＣｅｌｌ）と呼ばれることがあり、２次コンポーネントキャリアは２次セル（ＳＣｅｌｌ）と呼ばれることがある。
【００１７】
[0027]ワイヤレス通信システムは、５ＧＨｚ無認可周波数スペクトル中で通信リンク１５４を介してＷｉ−Ｆｉ（登録商標）局（ＳＴＡ）１５２と通信しているＷｉ−Ｆｉアクセスポイント（ＡＰ）１５０をさらに含み得る。無認可周波数スペクトル中で通信するとき、ＳＴＡ１５２／ＡＰ１５０は、チャネルが利用可能であるかどうかを決定するために、通信するより前にクリアチャネルアセスメント（ＣＣＡ）を実行し得る。
【００１８】
[0028]スモールセル１０２’は、認可および／または無認可周波数スペクトル中で動作し得る。無認可周波数スペクトル中で動作しているとき、スモールセル１０２’は、ＬＴＥを採用し、Ｗｉ−Ｆｉ  ＡＰ１５０によって使用されるのと同じ５ＧＨｚ無認可周波数スペクトルを使用し得る。無認可周波数スペクトル中でＬＴＥを採用するスモールセル１０２’は、アクセスネットワークへのカバレージをブーストし、および／またはアクセスネットワークの容量を増加させ得る。無認可スペクトル中のＬＴＥは、ＬＴＥ無認可（ＬＴＥ−Ｕ：LTE-unlicensed）、認可支援アクセス（ＬＡＡ：licensed assisted access）、またはＭｕＬＴＥｆｉｒｅと呼ばれることがある。
【００１９】
[0029]ＥＰＣ１６０は、モビリティ管理エンティティ（ＭＭＥ：Mobility Management Entity）１６２と、他のＭＭＥ１６４と、サービングゲートウェイ１６６と、マルチメディアブロードキャストマルチキャストサービス（ＭＢＭＳ：Multimedia Broadcast Multicast Service）ゲートウェイ１６８と、ブロードキャストマルチキャストサービスセンター（ＢＭ−ＳＣ：Broadcast Multicast Service Center）１７０と、パケットデータネットワーク（ＰＤＮ：Packet Data Network）ゲートウェイ１７２とを含み得る。ＭＭＥ１６２はホーム加入者サーバ（ＨＳＳ：Home Subscriber Server）１７４と通信していることがある。ＭＭＥ１６２は、ＵＥ１０４とＥＰＣ１６０との間のシグナリングを処理する制御ノードである。概して、ＭＭＥ１６２はベアラおよび接続管理を行う。すべてのユーザインターネットプロトコル（ＩＰ）パケットはサービングゲートウェイ１６６を通して転送され、サービングゲートウェイ１６６自体はＰＤＮゲートウェイ１７２に接続される。ＰＤＮゲートウェイ１７２はＵＥのＩＰアドレス割振りならびに他の機能を与える。ＰＤＮゲートウェイ１７２とＢＭ−ＳＣ１７０とはＩＰサービス１７６に接続される。ＩＰサービス１７６は、インターネット、イントラネット、ＩＰマルチメディアサブシステム（ＩＭＳ：IP Multimedia Subsystem）、ＰＳストリーミングサービス（ＰＳＳ：PS Streaming Service）、および／または他のＩＰサービスを含み得る。ＢＭ−ＳＣ１７０は、ＭＢＭＳユーザサービスプロビジョニングおよび配信のための機能を与え得る。ＢＭ−ＳＣ１７０は、コンテンツプロバイダＭＢＭＳ送信のためのエントリポイントとして働き得、パブリックランドモバイルネットワーク（ＰＬＭＮ：public land mobile network）内のＭＢＭＳベアラサービスを許可し、開始するために使用され得、ＭＢＭＳ送信をスケジュールするために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを配信するために使用され得、セッション管理（開始／停止）と、ｅＭＢＭＳ関係のチャージ情報（charging information）を収集することとを担当し得る。
【００２０】
[0030]基地局は、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。基地局１０２は、ＵＥ１０４にＥＰＣ１６０へのアクセスポイントを与える。ＵＥ１０４の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、タブレット、スマートデバイス、ウェアラブルデバイス、または任意の他の同様の機能デバイスがある。ＵＥ１０４は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２１】
[0031]再び図１を参照すると、いくつかの態様では、ＵＥ１０４ａは、リレーＵＥを通して基地局１０２に接続するように構成され得る。いくつかの態様では、ＵＥ１０４ｂはリレーＵＥとして構成され得る。いくつかの態様では、ＵＥ１０４ａは、リレーＵＥのセットに、リレー接続の確立に関連付けられた第１のメッセージを送信し得る。一態様では、第１のメッセージはＵＥ１０４ａの識別子（ＩＤ）を含み得る。ＵＥ１０４ａは、リレーＵＥとして構成されたＵＥ１０４ｂを含むリレーＵＥのセットからメッセージのセットを受信するようにさらに構成され得る。諸態様では、メッセージのセットのうちの各メッセージは、リレーＵＥのセットのうちのそれぞれのリレーＵＥのそれぞれのＩＤを含み得る。ＵＥ１０４ａは、リレーＵＥ１０４ｂからの、メッセージのセットのうちのメッセージに基づいて、リレーＵＥ１０４ｂとのリレー接続を確立するようにさらに構成され得る。諸態様では、ＵＥ１０４ａは、リレーＵＥ１０４ｂを通して基地局１０２との通信リンク１２０を介して通信し得る。したがって、ＵＥ１０４ａは、リレーＵＥ１０４ｂを通して基地局１０２との通信リンク１２０を介して、ＥＰＣ１６０、ＩＰサービス１７６、および／またはＨＳＳ１７４のうちの１つまたは複数と通信するように構成され得る。
【００２２】
[0032]図２Ａは、ＬＴＥにおけるＤＬフレーム構造の一例を示す図２００である。図２Ｂは、ＬＴＥにおけるＤＬフレーム構造内のチャネルの一例を示す図２３０である。図２Ｃは、ＬＴＥにおけるＵＬフレーム構造の一例を示す図２５０である。図２Ｄは、ＬＴＥにおけるＵＬフレーム構造内のチャネルの一例を示す図２８０である。他のワイヤレス通信技術は、異なるフレーム構造および／または異なるチャネルを有し得る。ＬＴＥでは、フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットは、１つまたは複数の（物理ＲＢ（ＰＲＢ：physical resource block）とも呼ばれる）時間並列リソースブロック（ＲＢ）を含む。リソースグリッドは複数のリソース要素（ＲＥ）に分割される。ＬＴＥでは、ノーマルサイクリックプレフィックスの場合、ＲＢは、合計８４個のＲＥについて、周波数領域中に１２個の連続するサブキャリアを含んでおり、時間領域中に７つの連続するシンボル（ＤＬの場合、ＯＦＤＭシンボル、ＵＬの場合、ＳＣ−ＦＤＭＡシンボル）を含んでいる。拡張サイクリックプレフィックスの場合、ＲＢは、合計７２個のＲＥについて、周波数領域中に１２個の連続するサブキャリアを含んでおり、時間領域中に６個の連続するシンボルを含んでいる。各ＲＥによって搬送されるビット数は変調方式に依存する。
【００２３】
[0033]図２Ａに示されているように、ＲＥのうちのいくつかが、ＵＥにおけるチャネル推定のためのＤＬ基準（パイロット）信号（ＤＬ−ＲＳ）を搬送する。ＤＬ−ＲＳは、（共通ＲＳと呼ばれることもある）セル固有基準信号（ＣＲＳ：cell-specific reference signal）と、ＵＥ固有基準信号（ＵＥ−ＲＳ：UE-specific reference signal）と、チャネル状態情報基準信号（ＣＳＩ−ＲＳ：channel state information reference signal）とを含み得る。図２Ａは、（それぞれ、Ｒ0、Ｒ1、Ｒ2、およびＲ3として示される）アンテナポート０、１、２、および３のためのＣＲＳと、（Ｒ5として示される）アンテナポート５のためのＵＥ−ＲＳと、（Ｒとして示される）アンテナポート１５のためのＣＳＩ−ＲＳとを示す。図２Ｂは、フレームのＤＬサブフレーム内の様々なチャネルの一例を示す。物理制御フォーマットインジケータチャネル（ＰＣＦＩＣＨ：physical control format indicator channel）は、スロット０のシンボル０内にあり、物理ダウンリンク制御チャネル（ＰＤＣＣＨ：physical downlink control channel）が１つのシンボルを占有するのか、２つのシンボルを占有するのか、３つのシンボルを占有するのかを示す制御フォーマットインジケータ（ＣＦＩ）を搬送する（図２Ｂは、３つのシンボルを占有するＰＤＣＣＨを示す）。ＰＤＣＣＨは、１つまたは複数の制御チャネル要素（ＣＣＥ：control channel element）内でダウンリンク制御情報（ＤＣＩ：downlink control information）を搬送し、各ＣＣＥは９つのＲＥグループ（ＲＥＧ：RE group）を含み、各ＲＥＧは、ＯＦＤＭシンボル中に４つの連続するＲＥを含む。ＵＥは、ＤＣＩをも搬送するＵＥ固有拡張ＰＤＣＣＨ（ｅＰＤＣＣＨ）で構成され得る。ｅＰＤＣＣＨは、２つ、４つ、または８つのＲＢペアを有し得る（図２Ｂは２つのＲＢペアを示し、各サブセットは１つのＲＢペアを含む）。物理ハイブリッド自動再送要求（ＡＲＱ：automatic repeat request）（ＨＡＲＱ：hybrid ARQ）インジケータチャネル（ＰＨＩＣＨ：physical HARQ indicator channel）もスロット０のシンボル０内にあり、物理アップリンク共有チャネル（ＰＵＳＣＨ）に基づいてＨＡＲＱ肯定応答（ＡＣＫ：acknowledgement）／否定ＡＣＫ（ＮＡＣＫ：negative ACK）フィードバックを示すＨＡＲＱインジケータ（ＨＩ）を搬送する。１次同期チャネル（ＰＳＣＨ）は、フレームのサブフレーム０および５内のスロット０のシンボル６内にあり、サブフレームタイミングと物理レイヤ識別情報とを決定するためにＵＥによって使用される１次同期信号（ＰＳＳ）を搬送する。２次同期チャネル（ＳＳＣＨ）は、フレームのサブフレーム０および５内のスロット０のシンボル５内にあり、物理レイヤセル識別情報グループ番号を決定するためにＵＥによって使用される２次同期信号（ＳＳＳ）を搬送する。物理レイヤ識別情報と物理レイヤセル識別情報グループ番号とに基づいて、ＵＥは物理セル識別子（ＰＣＩ）を決定することができる。ＰＣＩに基づいて、ＵＥは上述のＤＬ−ＲＳのロケーションを決定することができる。物理ブロードキャストチャネル（ＰＢＣＨ：physical broadcast channel）は、フレームのサブフレーム０のスロット１のシンボル０、１、２、３内にあり、マスタ情報ブロック（ＭＩＢ：master information block）を搬送する。ＭＩＢは、ＤＬシステム帯域幅中のＲＢ���数と、ＰＨＩＣＨ構成と、システムフレーム番号（ＳＦＮ）とを与える。物理ダウンリンク共有チャネル（ＰＤＳＣＨ：physical downlink shared channel）は、ユーザデータと、システム情報ブロック（ＳＩＢ：system information block）などのＰＢＣＨを通して送信されないブロードキャストシステム情報と、ページングメッセージとを搬送する。
【００２４】
[0034]図２Ｃに示されているように、ＲＥのうちのいくつかが、ｅＮＢにおけるチャネル推定のための復調基準信号（ＤＭ−ＲＳ）を搬送する。ＵＥは、サブフレームの最後のシンボル中でサウンディング基準信号（ＳＲＳ：sounding reference signal）をさらに送信し得る。ＳＲＳはコム（comb）構造を有し得、ＵＥは、コムのうちの１つ上でＳＲＳを送信し得る。ＳＲＳは、ｅＮＢによって、ＵＬ上での周波数依存スケジューリングを可能にするために、チャネル品質推定のために使用され得る。図２Ｄは、フレームのＵＬサブフレーム内の様々なチャネルの一例を示す。物理ランダムアクセスチャネル（ＰＲＡＣＨ：physical random access channel）が、ＰＲＡＣＨ構成に基づいてフレーム内の１つまたは複数のサブフレーム内にあり得る。ＰＲＡＣＨは、サブフレーム内に６つの連続するＲＢペアを含み得る。ＰＲＡＣＨは、ＵＥが初期システムアクセスを実行し、ＵＬ同期を達成することを可能にする。物理アップリンク制御チャネル（ＰＵＣＣＨ：physical uplink control channel）が、ＵＬシステム帯域幅のエッジ上に位置し得る。ＰＵＣＣＨは、スケジューリング要求、チャネル品質インジケータ（ＣＱＩ：channel quality indicator）、プリコーディング行列インジケータ（ＰＭＩ：precoding matrix indicator）、ランクインジケータ（ＲＩ：rank indicator）、およびＨＡＲＱ  ＡＣＫ／ＮＡＣＫフィードバックなど、アップリンク制御情報（ＵＣＩ）を搬送する。ＰＵＳＣＨは、データを搬送し得、バッファステータス報告（ＢＳＲ）、パワーヘッドルーム報告（ＰＨＲ）、および／またはＵＣＩを搬送するためにさらに使用され得る。
【００２５】
[0035]図３は、アクセスネットワーク中でＵＥ３５０と通信しているｅＮＢ３１０のブロック図である。ＤＬでは、ＥＰＣ１６０からのＩＰパケットがコントローラ／プロセッサ３７５に与えられ得る。コントローラ／プロセッサ３７５はレイヤ３およびレイヤ２機能を実装する。レイヤ３は無線リソース制御（ＲＲＣ）レイヤを含み、レイヤ２は、パケットデータコンバージェンスプロトコル（ＰＤＣＰ）レイヤと、無線リンク制御（ＲＬＣ）レイヤと、媒体アクセス制御（ＭＡＣ）レイヤとを含む。コントローラ／プロセッサ３７５は、システム情報（たとえば、ＭＩＢ、ＳＩＢ）のブロードキャスティングと、ＲＲＣ接続制御（たとえば、ＲＲＣ接続ページング、ＲＲＣ接続確立、ＲＲＣ接続変更、およびＲＲＣ接続解放）と、無線アクセス技術（ＲＡＴ）間モビリティと、ＵＥ測定報告のための測定構成とに関連するＲＲＣレイヤ機能、ならびにヘッダ圧縮／復元と、セキュリティ（暗号化、解読、完全性保護、完全性検証）と、ハンドオーバサポート機能とに関連するＰＤＣＰレイヤ機能、ならびに上位レイヤパケットデータユニット（ＰＤＵ）の転送と、ＡＲＱを介した誤り訂正と、ＲＬＣサービスデータユニット（ＳＤＵ）の連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、トランスポートブロック（ＴＢ）上へのＭＡＣ  ＳＤＵの多重化と、ＴＢからのＭＡＣ  ＳＤＵのデマリプレクシング（demuliplexing）と、スケジューリング情報報告と、ＨＡＲＱを介した誤り訂正と、優先度処理と、論理チャネル優先度付けとに関連するＭＡＣレイヤ機能を与える。
【００２６】
[0036]送信（ＴＸ）プロセッサ３１６および受信（ＲＸ）プロセッサ３７０は、様々な信号処理機能に関連するレイヤ１機能を実装する。物理（ＰＨＹ）レイヤを含むレイヤ１は、トランスポートチャネル上の誤り検出と、トランスポートチャネルの前方誤り訂正（ＦＥＣ）コーディング／復号と、インターリービングと、レートマッチングと、物理チャネル上へのマッピングと、物理チャネルの変調／復調と、ＭＩＭＯアンテナ処理とを含み得る。ＴＸプロセッサ３１６は、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングを扱う。コーディングされ、変調されたシンボルは、次いで並列ストリームに分割され得る。各ストリームは、次いで、時間領域ＯＦＤＭシンボルストリームを搬送する物理チャネルを生成するために、ＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成され得る。ＯＦＤＭストリームは、複数の空間ストリームを生成するために空間的にプリコーディングされる。チャネル推定器３７４からのチャネル推定値は、コーディングおよび変調方式を決定するために、ならびに空間処理のために使用され得る。チャネル推定値は、ＵＥ３５０によって送信される基準信号および／またはチャネル状態フィードバックから導出され得る。各空間ストリームは、次いで、別個の送信機３１８ＴＸを介して異なるアンテナ３２０に与えられ得る。各送信機３１８ＴＸは、送信のためにそれぞれの空間ストリームでＲＦキャリアを変調し得る。
【００２７】
[0037]ＵＥ３５０において、各受信機３５４ＲＸは、それのそれぞれのアンテナ３５２を通して信号を受信する。各受信機３５４ＲＸは、ＲＦキャリア上に変調された情報を復元し、その情報を受信（ＲＸ）プロセッサ３５６に与える。ＴＸプロセッサ３６８およびＲＸプロセッサ３５６は、様々な信号処理機能に関連するレイヤ１機能を実装する。ＲＸプロセッサ３５６は、ＵＥ３５０に宛てられた任意の空間ストリームを復元するために、情報に対して空間処理を実行し得る。複数の空間ストリームがＵＥ３５０に宛てられた場合、それらはＲＸプロセッサ３５６によって単一のＯＦＤＭシンボルストリームに合成され得る。ＲＸプロセッサ３５６は、次いで、高速フーリエ変換（ＦＦＴ）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと、基準信号とは、ｅＮＢ３１０によって送信される、可能性が最も高い信号コンスタレーションポイントを決定することによって復元され、復調される。これらの軟判定は、チャネル推定器３５８によって計算されるチャネル推定値に基づき得る。軟判定は、次いで、物理チャネル上でｅＮＢ３１０によって最初に送信されたデータと制御信号とを復元するために復号され、デインターリーブされる。データおよび制御信号は、次いで、レイヤ３およびレイヤ２機能を実装するコントローラ／プロセッサ３５９に与えられる。
【００２８】
[0038]コントローラ／プロセッサ３５９は、プログラムコードとデータとを記憶するメモリ３６０に関連付けられ得る。メモリ３６０はコンピュータ可読媒体と呼ばれることがある。ＵＬでは、コントローラ／プロセッサ３５９は、ＥＰＣ１６０からのＩＰパケットを復元するために、トランスポートチャネルと論理チャネルとの間の多重分離（demultiplexing）と、パケットリアセンブリと、解読と、ヘッダ復元と、制御信号処理とを行う。コントローラ／プロセッサ３５９はまた、ＨＡＲＱ動作をサポートするためにＡＣＫおよび／またはＮＡＣＫプロトコルを使用する誤り検出を担当する。
【００２９】
[0039]ｅＮＢ３１０によるＤＬ送信に関して説明された機能と同様に、コントローラ／プロセッサ３５９は、システム情報（たとえば、ＭＩＢ、ＳＩＢ）獲得と、ＲＲＣ接続と、測定報告とに関連するＲＲＣレイヤ機能、ならびにヘッダ圧縮／復元と、セキュリティ（暗号化、解読、完全性保護、完全性検証）とに関連するＰＤＣＰレイヤ機能、ならびに上位レイヤＰＤＵの転送と、ＡＲＱを介した誤り訂正と、ＲＬＣ  ＳＤＵの連結、セグメンテーション、およびリアセンブリと、ＲＬＣデータＰＤＵの再セグメンテーションと、ＲＬＣデータＰＤＵの並べ替えとに関連するＲＬＣレイヤ機能、ならびに論理チャネルとトランスポートチャネルとの間のマッピングと、ＴＢ上へのＭＡＣ  ＳＤＵの多重化と、ＴＢからのＭＡＣ  ＳＤＵのデマリプレクシングと、スケジューリング情報報告と、ＨＡＲＱを介した誤り訂正と、優先度処理と、論理チャネル優先度付けとに関連するＭＡＣレイヤ機能を与える。
【００３０】
[0040]ｅＮＢ３１０によって送信される基準信号またはフィードバックからの、チャネル推定器３５８によって導出されるチャネル推定値は、適切なコーディングおよび変調方式を選択することと、空間処理を可能にすることとを行うために、ＴＸプロセッサ３６８によって使用され得る。ＴＸプロセッサ３６８によって生成される空間ストリームは、別個の送信機３５４ＴＸを介して異なるアンテナ３５２に与えられ得る。各送信機３５４ＴＸは、送信のためにそれぞれの空間ストリームでＲＦキャリアを変調し得る。
【００３１】
[0041]ＵＬ送信は、ＵＥ３５０における受信機機能に関して説明された様式と同様の様式でｅＮＢ３１０において処理される。各受信機３１８ＲＸは、それのそれぞれのアンテナ３２０を通して信号を受信する。各受信機３１８ＲＸは、ＲＦキャリア上に変調された情報を復元し、その情報をＲＸプロセッサ３７０に与える。
【００３２】
[0042]コントローラ／プロセッサ３７５は、プログラムコードとデータとを記憶するメモリ３７６に関連付けられ得る。メモリ３７６はコンピュータ可読媒体と呼ばれることがある。ＵＬでは、コントローラ／プロセッサ３７５は、ＵＥ３５０からのＩＰパケットを復元するために、トランスポートチャネルと論理チャネルとの間の多重分離と、パケットリアセンブリと、解読と、ヘッダ復元と、制御信号処理とを行う。コントローラ／プロセッサ３７５からのＩＰパケットは、ＥＰＣ１６０に与えられ得る。コントローラ／プロセッサ３７５はまた、ＨＡＲＱ動作をサポートするためにＡＣＫおよび／またはＮＡＣＫプロトコルを使用する誤り検出を担当する。
【００３３】
[0043]図４はデバイスツーデバイス（Ｄ２Ｄ：device-to-device）通信システム４６０の図である。Ｄ２Ｄ通信システム４６０は複数のＵＥ４６４、４６６、４６８、４７０を含む。Ｄ２Ｄ通信システム４６０は、たとえば、ＷＷＡＮなどのセルラー通信システムと重なり得る。ＵＥ４６４、４６６、４６８、４７０の一部は、ＤＬ／ＵＬ  ＷＷＡＮスペクトルを使用してＤ２Ｄ通信において互いに通信し、一部は基地局４６２と通信し得、一部は両方を行い得る。たとえば、図４に示されているように、ＵＥ４６８、４７０はＤ２Ｄ通信中であり、ＵＥ４６４、４６６はＤ２Ｄ通信中である。ＵＥ４６４、４６６は基地局４６２とも通信している。Ｄ２Ｄ通信は、物理サイドリンクブロードキャストチャネル（ＰＳＢＣＨ：physical sidelink broadcast channel）、物理サイドリンク発見チャネル（ＰＳＤＣＨ：physical sidelink discovery channel）、物理サイドリンク共有チャネル（ＰＳＳＣＨ：physical sidelink shared channel）、および物理サイドリンク制御チャネル（ＰＳＣＣＨ：physical sidelink control channel）など、１つまたは複数のサイドリンクチャネルを通したものであり得る。
【００３４】
[0044]以下で説明される例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１規格に基づくＷｉ−Ｆｉに基づくワイヤレスデバイス間通信システムなど、様々なワイヤレスＤ２Ｄシステムのいずれにも適用可能である。説明を簡略化するために、例示的な方法および装置がＬＴＥのコンテキスト内で説明される。ただし、例示的な方法および装置は、様々な他のワイヤレスデバイスツーデバイス通信システムにより一般的に適用可能であることを当業者は理解されよう。
【００３５】
[0045]図５はワイヤレス通信システム５００の図である。ワイヤレス通信システム５００は複数のＵＥ５０４、５０６、５０８、５１０を含む。ＵＥ５０４、５０６、５０８、５１０のうちの１つまたは複数はＤ２Ｄ通信のために構成され得、図４のＵＥ４６４、４６６、４６８、４７０のうちの１つの態様であり得る。ワイヤレス通信システム５００は、たとえば、ＷＷＡＮなど、セルラー通信システムとともに含み得る。ワイヤレス通信システム５００は、たとえば、ＵＥ５０４、５０６、５０８、５１０のうちの１つまたは複数のためのネットワークデバイス５６０に向かうアクセスポイントの働きをし得る基地局５０２を含み得る。ネットワークデバイスの例としては、サーバ（たとえば、ウェブサーバ）、ゲートウェイ、コアネットワークのコンポーネント、または別の同様のデバイスがあり得る。諸態様では、ネットワークデバイス５６０は、図１のＥＰＣ１６０のコンポーネント、ＩＰサービス１７６、および／またはＨＳＳ１７４を含み得る。
【００３６】
[0046]一態様では、ＵＥ５０４は、別のＵＥ５１０に近接ベースサービス（ＰｒｏＳｅ：proximity-based service）を提供し得、ＵＥ５０４はＵＥ５１０のためのリレーの働きをし得る。ＵＥ５１０は、リモートＵＥまたはエッジデバイス（たとえば、「エッジＵＥ」または「ＥＵＥ」）として知られ得る。ＵＥ５０４は、ＰｒｏＳｅ  ＵＥネットワーク間リレーノード（「リレー」または「リレーＵＥ」）であり得る。一態様では、ＥＵＥ５１０は、基地局５０２によって与えられるカバレージエリアの範囲外にあり、基地局５０２に接続するためにリレーＵＥ５０４を使用する。一態様では、複数のＵＥ５０４、５０６、５０８が、ＥＵＥ５１０のためのリレーとして接続をセットアップするために利用可能であり得る。一態様では、ＥＵＥ５１０は、基地局５０２へのリレー接続をセットアップするために利用可能なリレーＵＥ５０４、５０６、５０８からリレーを選択し得る。
【００３７】
[0047]一態様によれば、ＥＵＥ５１０は第１のメッセージを送信し得る。この第１のメッセージは、リレーＵＥ５０４、５０６、５０８の各々へのユニキャスト送信として、またはブロードキャスト送信として送信され得る。一態様では、ＥＵＥ５１０は、物理サイドリンク発見チャネル（ＰＳＤＣＨ）上で第１のメッセージを送信し得る。
【００３８】
[0048]一態様では、この第１のメッセージは、ＥＵＥ５１０に関する情報を含み得る。たとえば、第１のメッセージはＥＵＥ５１０のＩＤを含み得る。一態様では、ＩＤは、ＥＵＥ５１０に関連付けられたレイヤ２（Ｌ２）ＩＤなど、ＥＵＥ５１０に関連付けられたリンクレイヤ識別子であり得る。一態様では、この第１のメッセージは、ＥＵＥ５１０がそれに関して関心をもっている情報を示し得るリレーサービスコードを含み得る。たとえば、この第１のメッセージは、ＥＵＥ５１０が関心をもっている接続性情報、サービス、リソース（たとえば、インターネットリソース）、および／またはアプリケーションを識別し得る。
【００３９】
[0049]一態様では、この第１のメッセージは１つまたは複数のサービス要件を含み得る。１つまたは複数のサービス要件は、ＥＵＥ５１０が、リレーＵＥ５０４、５０６、５０８のうちの１つを介してネットワークへの接続を確立すべきである場合、ＥＵＥ５１０にとって関心があるサービスに関係する１つまたは複数のメトリックを含み得る。たとえば、ＥＵＥ５１０は、基地局５０２とのリレー接続を確立することを試みるとき、特定のリンク品質、特定のビットレート、セキュア接続などを必要とし得る。
【００４０】
[0050]一態様では、この第１のメッセージは、ＥＵＥ５１０が関心をもっている１つまたは複数のＰＬＭＮの１つまたは複数のＩＤを含み得る。代替的に、この第１のメッセージは、ＥＵＥ５１０が、任意の利用可能なＰＬＭＮに接続することに関心をもっているという指示を含み得る。
【００４１】
[0051]一態様では、この第１のメッセージは、リレーＵＥ５０４、５０６、５０８のうちの１つまたは複数など、１つまたは複数のリレーＵＥに関連付けられたＩＤを含み得る。たとえば、ＩＤは、ＰｒｏＳｅリレーＵＥ  ＩＤであり得、ＰｒｏＳｅリレーＵＥ  ＩＤは、直接通信のために使用されるリンクレイヤ識別子であり得、リレーサービスコードに関連付けられ得る。一態様では、ＩＤは、リレーＵＥ５０４、５０６、５０８のうちの１つまたは複数など、１つまたは複数のリレーＵＥに関連付けられたＬ２  ＩＤであり得る。
【００４２】
[0052]一態様では、ＥＵＥ５１０は、リレーＵＥがリレーＵＥの利用可能性を示すために応答することを要求するために、第１のメッセージを送信し得る。一態様では、ＥＵＥ５１０は、ＥＵＥ５１０がリレーＵＥに関心をもっていることを告知（announce）するために、第１のメッセージを送信し得る。第１のメッセージは発見告知メッセージまたはＰｒｏＳｅ発見クエリメッセージであり得る。
【００４３】
[0053]一態様では、第１のメッセージを受信するリレーＵＥ５０４、５０６、５０８のうちの１つまたは複数は、それぞれの第２のメッセージで応答し得る。一態様では、それぞれのリレーＵＥ５０４、５０６、５０８からのそれぞれの第２のメッセージは、それぞれのリレーＵＥ５０４、５０６、５０８に関する情報を含み得る。一態様によれば、それぞれの第２のメッセージは、リレーデバイスとしてのそれぞれのリレーＵＥ５０４、５０６、５０８の利用可能性を示し得る。一態様では、それぞれの第２のメッセージは、それぞれのリレーＵＥ５０４、５０６、５０８のＩＤを含み得る。たとえば、リレーＵＥ５０４からの第２のメッセージは、直接通信のために使用されるリンクレイヤ識別子を含み得、リレーサービスコードに関連付けられ得る。一態様では、ＩＤはＬ２  ＩＤであり得る。
【００４４】
[0054]一態様では、それぞれの第２のメッセージはリレー関連付けメッセージ（relay association message）であり得る。一態様では、第２のメッセージは、リレーＵＥを通して利用可能なリレーサービスに関連付けられた情報を含み得る。たとえば、第２のメッセージは、リレーＵＥを通して提供されるサービスを示す情報（たとえば、ＰｒｏＳｅリレーサービスコード）、リレーＵＥがそれに接続し得る１つまたは複数のＰＬＭＮ  ＩＤ、リレーＵＥがそれに接続し得る１つまたは複数のアクセスポイント名（ＡＰＮ：access point name）、リレーＵＥがそれに接続し得る１つまたは複数の基地局、または他の同様の情報を含み得る。
【００４５】
[0055]一態様では、リレーＵＥ５０４、５０６、５０８の各々は、物理サイドリンク共有チャネル（ＰＳＳＣＨ）上でそれぞれの第２のメッセージを送り得る。一態様では、リレーＵＥ５０４、５０６、５０８の各々は、物理サイドリンク制御チャネル（ＰＳＣＣＨ）上でそれぞれの第２のメッセージに対応するそれぞれのスケジューリング割当てを送り得る。
【００４６】
[0056]したがって、ＥＵＥ５１０は、リレーＵＥ５０４、５０６、５０８のセットから第２のメッセージのセットを受信し得る。一態様では、ＥＵＥ５１０は、１つまたは複数のリレーＵＥ５０４、５０６、５０８から受信されたそれぞれの第２のメッセージに基づいて、リレーＵＥ５０４、５０６、５０８のうちの１つまたは複数に第３のメッセージを送信し得る。たとえば、ＥＵＥ５１０は、ＥＵＥ５１０がリレーＵＥ５０４を通してリレー接続を確立することを望むことを示すために、リレーＵＥ５０４からの第２のメッセージに基づいて、リレーＵＥ５０４に第３のメッセージを送信し得る。
【００４７】
[0057]一態様では、ＥＵＥ５１０は、第２のメッセージのセットに基づいてリレーを選択し得る。ＥＵＥ５１０が２つ以上の第２のメッセージ（たとえば、複数のリレーＵＥ５０４、５０６、５０８からの複数のリレー関連付けメッセージ）を受信するとき、ＥＵＥ５１０は、リレーとしての働きをすべき１つのデバイスを選択し得る。たとえば、ＥＵＥ５１０は、基地局５０２に接続するとき、ＥＵＥ５１０のためのリレーとして働くべきリレーＵＥ５０４を選択し得る。一態様では、ＥＵＥ５１０は、リレーＵＥのセットのうちの２つまたはそれ以上のリレーＵＥ５０４、５０６、５０８間で選択するとき、第２のメッセージ（たとえば、リレー関連付けメッセージ）のセットのうちの１つまたは複数の第２のメッセージ中で受信された情報を使用し得る。
【００４８】
[0058]一態様では、ＥＵＥ５１０は、ＥＵＥ５１０がそれについての第２のメッセージを最初に受信したリレーＵＥとのリレー接続を確立することを選び得る。たとえば、ＥＵＥ５１０が他のリレーＵＥ５０６、５０８からのそれぞれの第２のメッセージの前にそのリレーＵＥ５０４から第２のメッセージを受信したので、ＥＵＥ５１０はリレーＵＥ５０４を選択し得る。
【００４９】
[0059]一態様では、ＥＵＥ５１０は、異なる基準に基づいて、または複数の基準を考察することによってリレーＵＥを選択し得る。たとえば、ＥＵＥ５１０は、ＥＵＥ５１０と１つまたは複数のリレーＵＥ５０４、５０６、５０８との間のそれぞれのリンク品質などの基準に基づいてリレーＵＥを決定し得る。一態様では、ＥＵＥ５１０は、基準信号に基づく基準信号受信電力（ＲＳＲＰ）および／または基準信号受信品質（ＲＳＲＱ）測定値、測定されたビットレート、あるいはリレーＵＥ５０４、５０６、５０８がターゲットワイヤレスネットワーク、ＡＰＮ、または基地局に接続されるかどうかなど、第２のメッセージのセットのうちの各第２のメッセージに関連付けられた情報に基づいてリレーＵＥを選択し得る。
【００５０】
[0060]一態様では、ＥＵＥ５１０は、１つまたは複数の受信された第２のメッセージに関係する情報（たとえば、リレー関連付けメッセージからの情報）を記憶し得る。たとえば、一態様では、ＥＵＥ５１０は、リレーＵＥ５０４、５０６、５０８から第２のメッセージを受信し、選択されないリレーＵＥ５０６、５０８のための情報を記憶し得る。
【００５１】
[0061]第２のメッセージのセットに基づいて、ＥＵＥ５１０は、リレー接続を確立することに関連して、リレーＵＥ５０４、５０６、５０８のセットのうちのリレーＵＥに第３のメッセージを送信し得る。一態様では、第３のメッセージはリレー関連付けメッセージであり得る。したがって、一態様では、説明されたように、リレーＵＥ（たとえば、リレーＵＥ５０４）は、リレー関連付けメッセージの送信を通してリレー接続を開始し得るが、別の態様では、ＥＵＥ（たとえば、ＥＵＥ５１０）は、リレー関連付けメッセージの送信を通してリレー接続を開始し得る。第３のメッセージ（たとえば、リレー関連付けメッセージ）は、たとえば、ＥＵＥ５１０に関連付けられたＩＤ、リレーサービスコード、１つまたは複数のサービス要件、ＥＵＥ５１０が関心をもっている１つまたは複数のＰＬＭＮの１つまたは複数のＩＤ、または所望のリレー接続に関連付けられた他の情報（たとえば、基地局に関する情報、ＡＰＮに関する情報）を含み得る。
【００５２】
[0062]別の態様では、第３のメッセージは、リレー関連付けメッセージである１つまたは複数の第２のメッセージに応答するリレー関連付け応答メッセージであり得る。言い換えれば、リレーＵＥ５０４、５０６、５０８のセットが、第１のメッセージに応答してリレー関連付けメッセージのセットを送信するとき、ＥＵＥ５１０は、１つまたは複数のリレー関連付け応答でそれらのリレー関連付けメッセージのうちの１つまたは複数に応答し得る。
【００５３】
[0063]一態様では、ＥＵＥ５１０は、リレー接続を確認するために、および／または選択されたリレーＵＥとの接続を確立するために、選択されたリレーＵＥにリレー関連付け応答を送り得る。たとえば、ＥＵＥ５１０はリレーＵＥ５０４を選択し得、選択されたリレーＵＥ５０４に、選択の指示を送信し得る。一態様では、第３のメッセージは、リレー接続を確立するための肯定応答（ＡＣＫ）メッセージであり得る。
【００５４】
[0064]一態様では、ＥＵＥ５１０は、選択されないリレーＵＥ５０４、５０６、５０８のセットのうちの１つまたは複数のリレーＵＥに応答し得る。たとえば、ＥＵＥ５１０はリレーＵＥ５０４を選択し、それに第３のメッセージ（たとえば、ＡＣＫメッセージ）を送信し得、ＥＵＥ５１０は、選択されないリレーＵＥ５０６、５０８がリレー接続のために選択されないことを示すために、それらのリレーＵＥ５０６、５０８の各々にそれぞれの第４のメッセージをさらに送信し得る。一態様では、ＥＵＥ５１０は、選択されないリレーＵＥ５０６、５０８からの接続の試みられた確立を明示的に拒否するために、選択されないリレーＵＥ５０６、５０８に、否定応答（ＮＡＣＫ）の形式で第４のメッセージ（たとえば、リレー関連付け応答メッセージ）中で拒否メッセージを送り得る。
【００５５】
[0065]代替的に、ＥＵＥ５１０は、選択されないリレーＵＥ５０６、５０８にメッセージを送信することを控え得る。一態様では、リレーＵＥ５０４、５０６、５０８は、ＥＵＥからのメッセージの受信（たとえば、ＥＵＥ５１０からのリレー関連付け応答の受信）に関連付けられたタイマーを含み得る。タイマーの所定の持続時間が第３のメッセージの受信の前に経過した場合、リレーＵＥ（たとえば、リレーＵＥ５０６、リレーＵＥ５０８）は、ＥＵＥが接続の確立のためにそのリレーＵＥを選択しなかったと決定し得、そのリレーＵＥは確立のための試みを放棄し得る。
【００５６】
[0066]ＥＵＥ５１０が第３のメッセージ（たとえば、リレー関連付けメッセージの肯定応答を示すリレー関連付け応答）を送ると、ＥＵＥ５１０と選択されたリレーＵＥ５０４とはリレー接続を確立し得る。一態様では、ＥＵＥ５１０とリレーＵＥ５０４との間で確立されたリレー接続は、ＥＵＥ５１０からのメッセージにおいて指定された１つまたは複数のサービス要件（たとえば、発見に関連付けられた第１のメッセージによって示された１つまたは複数のサービス要件、またはリレー関連付けに関連付けられた第３のメッセージによって示された１つまたは複数のサービス要件）に従い得る。
【００５７】
[0067]したがって、ＥＵＥ５１０は、確立されたリレー接続をもつリレーＵＥ５０４を通して、１つまたは複数のデバイスおよび／またはネットワークに接続し得る。たとえば、基地局５０２のカバレージエリアの外部にあるとき、ＥＵＥ５１０は、リレーＵＥ５０４を通してＷＷＡＮに接続し得る。さらに、ＥＵＥ５１０は、確立されたリレー接続を使用してリレーＵＥ５０４を通して基地局５０２を介してネットワークデバイス５６０に接続することが可能であり得る。
【００５８】
[0068]一態様では、ＥＵＥ５１０は、リレーＵＥ５０４を通したリレー接続が劣化したか、および／または不要であると決定し得る。たとえば、リレーＵＥ５０４および／またはＥＵＥ５１０はロケーションを移動し、それにより、リレー接続の品質に影響を及ぼし得る。したがって、ＥＵＥ５１０は、リレー接続が終了されるべきであると決定し得る。したがって、ＥＵＥ５１０は、確立されたリレー接続を終了するために、選択されたリレーＵＥ５０４に第５のメッセージを送信し得る。
【００５９】
[0069]一態様では、ＥＵＥ５１０は、新しいリレー接続を確立し得る。たとえば、ＥＵＥ５１０は、最初に選択されないＵＥ５０６、５０８から受信された第２のメッセージのうちの１つまたは複数から記憶された情報にアクセスし得る。ＥＵＥ５１０は、新しいリレー接続を確立するために、最初に選択されないＵＥ５０６、５０８のうちの１つを選択し得る。たとえば、ＥＵＥ５１０は、新しいリレー接続を確立するためにリレーＵＥ５０６を選択し得る。ＥＵＥ５１０は、次いで、新しいリレー接続を確立するために、新たに選択されたリレーＵＥ５０６に新しい第３のメッセージを送信し得る。たとえば、ＥＵＥ５１０は、リレー関連付けメッセージまたはリレー関連付け応答として新しい第３のメッセージを送信し得る。
【００６０】
[0070]図６は、ＥＵＥ６０１と１つまたは複数のリレーＵＥ６０３、６０５との間のワイヤレス通信の一態様を示す流れ図。たとえば、流れ図６００は、図５に示されているように、ＥＵＥ５１０と１つまたは複数のリレーＵＥ５０４、５０６、５０８との間で送られるメッセージを示し得る。
【００６１】
[0071]一態様では、ＥＵＥ６０１は、リレーＵＥ６０３およびリレーＵＥ６０５の各々に第１のメッセージを送り得る。一態様では、第１のメッセージは、第１のリレーＵＥ６０３へのＰｒｏＳｅ発見メッセージ６１０であり、第２のリレーＵＥ６０５へのＰｒｏＳｅ発見メッセージ６１２であり得る。一態様では、ＰｒｏＳｅ発見メッセージ６１０、６１２は、リレーＵＥ６０３、６０５によって受信される、ＥＵＥ６０１によってブロードキャストされた単一のメッセージであり得る。一態様では、ＰｒｏＳｅ発見メッセージ６１０、６１２は、ＰＳＤＣＨ上で搬送され得る。
【００６２】
[0072]一態様では、ＰｒｏＳｅ発見メッセージ６１０、６１２は、それぞれ、たとえば、リレーデバイスを使用してワイヤレス通信ネットワークに接続するというＥＵＥ６０１の意図を示す情報を含み得る。一態様では、ＰｒｏＳｅ発見メッセージは、ＥＵＥ６０１のＩＤなどの追加情報を含み得る。たとえば、ＰｒｏＳｅ発見メッセージ６１０、６１２は、ＥＵＥ６０１のＬ２  ＩＤを含み得る。一態様では、ＰｒｏＳｅ発見メッセージ６１０、６１２はまた、ＥＵＥ６０１が加入することを意図するネットワークのＩＤを含み得る。たとえば、ＥＵＥ６０１は、ＥＵＥ６０１がそれに属するか、またはＥＵＥ６０１がそれに接続することを希望する特定のネットワークのための１つまたは複数のＰＬＭＮ  ＩＤを含み得る。代替的に、ＰｒｏＳｅ発見メッセージ６１０、６１２は、ＥＵＥ６０１が任意のネットワークに接続することを意図するという指示を含み得、したがって、特定のターゲットとしてのＰＬＭＮ  ＩＤを含まない。
【００６３】
[0073]一態様では、ＰｒｏＳｅ発見メッセージ６１０、６１２はまた、１つまたは複数のサービス要件を含み得る。一態様では、サービス要件は、ＥＵＥ６０１が、リレーＵＥ６０３または６０５を介してネットワークへの接続を確立すべきである場合、ＥＵＥ６０１によって必要とされるサービスに関係する１つまたは複数のメトリックを含み得る。たとえば、ＥＵＥ６０１は、ワイヤレスネットワークとのリレー接続を確立することを試みるとき、特定のリンク品質、特定のビットレート、セキュア接続などを必要とし得る。
【００６４】
[0074]一態様では、第１のリレーＵＥ６０３および第２のリレーＵＥ６０５は、それぞれのＰｒｏＳｅ発見メッセージ６１０、６１２に基づいてそれぞれの第２のメッセージを送り得る。一態様では、第１のリレーＵＥ６０３は、ＥＵＥ６０１にそれぞれの第２のメッセージをリレー関連付けメッセージ６１４として送り得る。同様に、第２のリレーＵＥ６０５は、ＥＵＥ６０１にそれぞれの第２のメッセージをリレー関連付けメッセージ６１６として送り得る。リレーＵＥ６０３、６０５は、ＰＳＳＣＨ上でリレー関連付けメッセージ６１４、６１６を送り得、対応するスケジューリング割当てを送るためにＰＳＣＣＨを使用し得る。
【００６５】
[0075]一態様によれば、リレーＵＥ６０３、６０５は、基地局（たとえば、図５の基地局５０２）からの指示に応答してリレー関連付けメッセージ６１４、６１６を送り得る。一態様では、リレーＵＥ６０３、６０５は、それぞれ、リレーＵＥ６０３、６０５をそれぞれサービスしている基地局に、ＰｒｏＳｅ発見メッセージ６１０、６１２をフォワーディングし得る。一態様では、基地局は、同じ基地局であり得る。別の態様では、リレーＵＥ６０３、６０５は、異なる基地局に接続される。一態様では、リレーＵＥ６０３、６０５は、それぞれのＰｒｏＳｅ発見メッセージ６１０、６１２を受信し、処理することに直接基づいて、それぞれのリレー関連付けメッセージ６１４、６１６を送り得る。リレーＵＥ６０３、６０５は、それぞれ、それぞれのＰｒｏＳｅ発見メッセージ６１０、６１２のコンテンツに基づいて、それぞれのリレーＵＥ６０３、６０５がＥＵＥ６０１のためのリレーの働きをすることが可能であると決定し得る。
【００６６】
[0076]動作６１８において、ＥＵＥ６０１は、それとのリレー接続を確立すべきリレーＵＥ６０３、６０５のうちの１つを選定し得る。一態様では、ＥＵＥ６０１は、ＥＵＥ６０１とワイヤレスネットワーク（たとえば、ＷＷＡＮまたは別の同様のネットワーク）との間の接続を確立するためのリレーとして働くべきリレーＵＥ６０３、６０５のうちの１つの選択に基づいて１つまたは複数のリレー関連付けメッセージ６１４、６１６に応答し得る。一態様では、ＥＵＥ６０１が２つ以上のリレー関連付けメッセージ６１４、６１６を受信するとき、ＥＵＥ６０１は、リレーの働きをすべきリレーＵＥ６０３、６０５のうちの１つを選択し得る。一態様では、ＥＵＥ６０１は、（リレーＵＥ６０３、６０５のうちの選択されない１つを含む）１つまたは複数の受信されたリレー関連付けメッセージ６１４、６１６に関連付けられた情報を保存し得る。たとえば、一態様では、ＥＵＥ６０１はリレー関連付けメッセージ６１４、６１６を受信し、それぞれのリレーＵＥ６０３、６０５のための情報を保存し得る。
【００６７】
[0077]ＥＵＥ６０１は、ワイヤレスネットワーク（たとえば、ＷＷＡＮ）に接続するとき、ＥＵＥ６０３のためのリレーとして働くべきリレーＵＥ６０３を選択し得る。一態様では、ＥＵＥ６０１は、２つまたはそれ以上のリレーＵＥ６０３、６０５の間で選択するとき、リレー関連付けメッセージ６１４、６１６中で受信された情報を使用し得る。一態様では、ＥＵＥ６０１は、ＥＵＥ６０１が最初にリレー関連付けメッセージ６１４、６１６のうちの１つをそれから受信したリレーＵＥ６０３、６０５のうちの１つとのリレー接続を確立することを選び得る。たとえば、ＥＵＥ６０１が、リレーＵＥ６０５からのリレー関連付けメッセージ６１６の前にリレーＵＥ６０３からリレー関連付けメッセージ６１４を受信したので、ＥＵＥ６０１はリレーＵＥ６０３を選定し得る。一態様では、ＥＵＥ６０１は、異なる基準に基づいて、または複数の基準を考察することによってリレーＵＥ６０３、６０５のうちの１つを選定し得る。たとえば、ＥＵＥ６０１は、ＥＵＥ６０１とリレーＵＥ６０３、６０５の各々との間のリンク品質などの基準、および／またはリレー関連付けメッセージ６１４、６１６中で受信された情報（たとえば、基準信号に基づくＲＳＲＰ／ＲＳＲＱ測定値、測定されたビットレート、あるいはリレーＵＥ６０３、６０５のうちの１つがターゲットワイヤレスネットワーク、ＡＰＮ、または基地局に接続されるかどうか）に基づいてリレーＵＥ６０３、６０５のうちの１つを選択し得る。
【００６８】
[0078]ＥＵＥ６０１が、それとのリレー接続を確立すべきリレーＵＥ６０３、６０５のうちの１つを選択した後、ＥＵＥ６０１は、リレーＵＥ６０３、６０５のうちの選択された１つに第３のメッセージを送り得る。一態様では、第３のメッセージは、リレー接続を確認し、および／または選択されたリレーＵＥ６０３とのリレー接続の確立を開始するリレー関連付け応答６２０である。たとえば、選択されたリレーＵＥ６０３にＥＵＥ６０１によって送られたリレー関連付け応答６２０は、リレー接続を確立することに関連付けられたＡＣＫメッセージであり得る。
【００６９】
[0079]一態様では、ＥＵＥ６０１は、１つまたは複数の選択されないリレーＵＥに第４のメッセージを送り得る。一態様では、第４のメッセージは、リレーＵＥ６０５がリレー接続のために選択されないことを示すリレー関連付け応答６２２である。たとえば、ＥＵＥ６０１は、リレーＵＥ６０５を通したリレー接続の試みられた確立を明示的に拒否するために、選択されないリレーＵＥ６０５に、ＮＡＣＫの形式でリレー関連付け応答６２２中で拒否メッセージを送り得る。
【００７０】
[0080]代替的に、一態様では、ＥＵＥ６０１は、選択されないリレーＵＥ６０５にメッセージを送ることを控え得る。一態様では、リレーＵＥ６０３、６０５のうちの１つまたは複数は、ＥＵＥ６０１から肯定応答リレー関連付け応答６２０の受信に関連付けられたタイマーを含み得る。タイマーの持続時間がリレー関連付け応答６２０の受信の前に経過した場合、選択されないリレーＵＥ６０５は、ＥＵＥ６０１がリレー接続の確立のためにそのリレーＵＥ６０５を選択しなかったと決定し得る。選択されないリレーＵＥ６０５は、ＥＵＥ６０１とのリレー接続の確立のための試みを放棄し得る。
【００７１】
[0081]ＥＵＥ６０１がリレーＵＥ６０３に肯定応答リレー関連付け応答６２０を送った後、ＥＵＥ６０１と選択されたリレーＵＥ６０３とはリレー接続６２４を確立し得る。一態様では、ＥＵＥ６０１と選択されたリレーＵＥ６０３との間で確立されたリレー接続６２４は、ＰｒｏＳｅ発見メッセージ６１０において指定された１つまたは複数のサービス要件に従い得る。
【００７２】
[0082]図７は、ＥＵＥ７０１と１つまたは複数のリレーＵＥ７０３、７０５との間のワイヤレス通信の一態様を示す流れ図。たとえば、流れ図７００は、図５に示されているように、ＥＵＥ５１０と１つまたは複数のリレーＵＥ５０４、５０６、５０８との間で送られるメッセージを示し得る。
【００７３】
[0083]一態様では、ＥＵＥ７０１は、リレーＵＥ７０３およびリレーＵＥ７０５に第１のメッセージを送り得る。一態様では、第１のメッセージは、個々のメッセージ、たとえば、リレーＵＥ７０３へのＰｒｏＳｅ発見メッセージ７１０、および第２のリレーＵＥ７０５へのＰｒｏＳｅ発見メッセージ７１２であり得る。一態様では、ＰｒｏＳｅ発見メッセージ７１０、７１２は、リレーＵＥ７０３、７０５によって受信される、ＥＵＥ７０１によってブロードキャストされた単一のメッセージであり得る。一態様では、ＰｒｏＳｅ発見メッセージ７１０、７１２は、ＰＳＤＣＨ上で搬送され得る。
【００７４】
[0084]一態様では、ＰｒｏＳｅ発見メッセージ７１０、７１２は、それぞれ、ＥＵＥ７０１に関連付けられた情報を含み得る。たとえば、ＰｒｏＳｅ発見メッセージ７１０、７１２は、リレーデバイスを使用してワイヤレス通信ネットワークに接続するというＥＵＥ７０１の意図を示し得る。一態様では、ＰｒｏＳｅ発見メッセージ７１０、７１２は、ＥＵＥ７０１のＩＤなどの追加情報を含み得る。たとえば、ＰｒｏＳｅ発見メッセージ７１０、７１２は、ＥＵＥ７０１のＬ２  ＩＤを含み得る。一態様では、ＰｒｏＳｅ発見メッセージ７１０、７１２はまた、ＥＵＥ７０１が加入することを意図するネットワークのＩＤを含み得る。たとえば、ＥＵＥ７０１は、ＥＵＥ７０１がそれに属するか、またはそれに接続することを希望する特定のネットワークのための１つまたは複数のＰＬＭＮ  ＩＤを含み得る。代替的に、ＰｒｏＳｅ発見メッセージ７１０、７１２は、ＥＵＥ７０１が任意のネットワークに接続することを意図するという指示を含み得、したがって、特定のターゲットとしてのＰＬＭＮ  ＩＤを含まない。
【００７５】
[0085]一態様では、ＰｒｏＳｅ発見メッセージ７１０、７１２はまた、１つまたは複数のサービス要件を含み得る。一態様では、サービス要件は、ＥＵＥ７０１が、リレーＵＥを介してネットワークへの接続を確立すべきである場合、ＥＵＥ７０１によって必要とされるサービスに関係する１つまたは複数のメトリックを含み得る。たとえば、ＥＵＥ７０１は、ワイヤレスネットワークとのリレー接続を確立することを試みるとき、特定のリンク品質、特定のビットレート、セキュア接続などを必要とし得る。
【００７６】
[0086]一態様では、ＰｒｏＳｅ発見メッセージ７１０、７１２は、リレーＵＥ７０３、７０５のうちのより多くのうちの１つなど、１つまたは複数のリレーＵＥに関連付けられたＩＤを含み得る。たとえば、ＩＤは、ＰｒｏＳｅリレーＵＥ  ＩＤであり得、ＰｒｏＳｅリレーＵＥ  ＩＤは、直接通信のために使用されるリンクレイヤ識別子であり得、リレーサービスコードに関連付けられ得る。一態様では、ＩＤは、リレーＵＥ７０３、７０５のうちの１つまたは複数など、１つまたは複数のリレーＵＥに関連付けられたＬ２  ＩＤであり得る。
【００７７】
[0087]一態様では、第１のリレーＵＥ７０３および第２のリレーＵＥ７０５は、それぞれのＰｒｏＳｅ発見メッセージ７１０、７１２に基づいてそれぞれの第２のメッセージを送り得る。一態様では、第１のリレーＵＥ７０３は、ＥＵＥ７０１にそれぞれの第２のメッセージを発見応答メッセージ７１４として送り得る。同様に、第２のリレーＵＥ７０５は、ＥＵＥ７０１にそれぞれの第２のメッセージを発見応答メッセージ７１６として送り得る。一態様では、各発見応答メッセージ７１４、７１６は、リレーデバイスとしてのそれぞれのリレーＵＥ７０３、７０５のそれぞれの利用可能性を示し得る。一態様では、それぞれの発見応答メッセージ７１４、７１６は、それぞれのリレーＵＥ７０３、７０５のＩＤを含み得る。たとえば、リレーＵＥ７０３からの発見応答メッセージ７１４は、直接通信のために使用されるリンクレイヤ識別子を含み得、リレーサービスコードに関連付けられ得る。一態様では、ＩＤはＬ２  ＩＤであり得る。
【００７８】
[0088]動作７１８において、ＥＵＥ７０１は、それとのリレー接続を確立すべきリレーＵＥ７０３、７０５のうちの１つを選定し得る。一態様では、ＥＵＥ７０１は、ＥＵＥ７０１とワイヤレスネットワーク（たとえば、ＷＷＡＮまたは別の同様のネットワーク）との間の接続を確立するためのリレーとして働くべきリレーＵＥ７０３、７０５のうちの１つの選択に基づいて１つまたは複数の発見応答メッセージ７１４、７１６に応答し得る。一態様では、ＥＵＥ７０１が２つ以上の発見応答メッセージ７１４、７１６を受信するとき、ＥＵＥ７０１は、リレーとしての働きをすべきリレーＵＥ７０３、７０５のうちの１つを選択し得る。一態様では、ＥＵＥ７０１は、（リレーＵＥ７０３、７０５のうちの選択されない１つを含む）１つまたは複数の受信された発見応答メッセージ７１４、７１６に関連付けられた情報を保存し得る。たとえば、一態様では、ＥＵＥ７０１は発見応答メッセージ７１４、７１６を受信し、それぞれの送信側リレーＵＥ７０３、７０５のための情報を保存し得る。
【００７９】
[0089]ＥＵＥ７０１は、ワイヤレスネットワーク（たとえば、ＷＷＡＮ）に接続するとき、ＥＵＥ７０１のためのリレーとして働くべきリレーＵＥ７０３を選択し得る。一態様では、ＥＵＥ７０１は、２つまたはそれ以上のリレーＵＥ７０３、７０５の間で選択するとき、発見応答メッセージ７１４、７１６中で受信された情報を使用し得る。一態様では、ＥＵＥ７０１は、ＥＵＥ７０１が最初に発見応答メッセージ７１４、７１６のうちの１つをそれから受信したリレーＵＥ７０３、７０５のうちの１つとのリレー接続を確立することを選び得る。たとえば、ＥＵＥ７０１が、リレーＵＥ７０５からの発見応答メッセージ７１６の前にリレーＵＥ７０３から発見応答メッセージ７１４を受信したので、ＥＵＥ７０１はリレーＵＥ７０３を選定し得る。一態様では、ＥＵＥ７０１は、異なる基準に基づいて、または複数の基準を考察することによってリレーＵＥ７０３、７０５のうちの１つを選定し得る。たとえば、ＥＵＥ７０１は、ＥＵＥ７０１とリレーＵＥ７０３、７０５の各々との間のリンク品質などの基準、および／または発見応答メッセージ７１４、７１６中で受信された情報（たとえば、基準信号に基づくＲＳＲＰ／ＲＳＲＱ測定値、測定されたビットレート、あるいはリレーＵＥ７０３、７０５のうちの１つがターゲットワイヤレスネットワーク、ＡＰＮ、または基地局に接続されるかどうか）に基づいてリレーＵＥ７０３、７０５のうちの１つを選択し得る。
【００８０】
[0090]ＥＵＥ７０１がリレーＵＥ７０３、７０５のうちの１つを選択した後、ＥＵＥ７０１は、リレーＵＥ７０３、７０５のうちの選択された１つに第３のメッセージを送り得る。一態様では、第３のメッセージは、選択されたリレーＵＥ７０３とのリレー接続の確立を要求するリレー関連付けメッセージ７２０である。様々な態様では、選択されたリレーＵＥ７０３にＥＵＥ７０１によって送られたリレー関連付けメッセージ７２０は、ＥＵＥ７０１に関連付けられた情報を含み得る。様々な態様では、リレー関連付けメッセージ７２０は、ＰｒｏＳｅ発見メッセージ７１０、７１２に関して説明される情報と同様の情報を含み得る。しかしながら、そのような情報は、ＰｒｏＳｅ発見メッセージ７１０、７１２ではなく、リレー関連付けメッセージ７２０中に生じ得る。
【００８１】
[0091]一態様では、リレー関連付けメッセージ７２０はＥＵＥ７０１のＩＤ（たとえば、ＥＵＥ７０１のＬ２  ＩＤ）を含み得る。一態様では、リレー関連付けメッセージ７２０は、ＥＵＥ７０１が加入することを意図するネットワークのＩＤを含み得る。たとえば、ＥＵＥ７０１は、ＥＵＥ７０１がそれに属するか、またはそれに接続することを希望する特定のネットワークのための１つまたは複数のＰＬＭＮ  ＩＤを含み得る。代替的に、リレー関連付けメッセージ７２０は、ＥＵＥ７０１が任意のネットワークに接続することを意図するという指示を含み得、したがって、特定のターゲットとしてのＰＬＭＮ  ＩＤを含まない。
【００８２】
[0092]一態様では、リレー関連付けメッセージ７２０は１つまたは複数のサービス要件を含み得る。一態様では、サービス要件は、ＥＵＥ７０１が、リレーＵＥ７０３または７０５を介してネットワークへの接続を確立すべきである場合、ＥＵＥ７０１にとって関心があるサービスに関係する１つまたは複数のメトリックを含み得る。たとえば、ＥＵＥ７０１は、ワイヤレスネットワークとのリレー接続を確立することを試みるとき、特定のリンク品質、特定のビットレート、セキュア接続などを必要とし得る。
【００８３】
[0093]ＥＵＥ７０１がリレーＵＥ７０３にリレー関連付けメッセージ７２０を送った後、ＥＵＥ７０１と選択されたリレーＵＥ７０３とはリレー接続７２４を確立し得る。一態様では、ＥＵＥ７０１と選択されたリレーＵＥ７０３との間で確立されたリレー接続７２４は、ＰｒｏＳｅ発見メッセージ７１０および／またはリレー関連付けメッセージ７２０において指定された１つまたは複数のサービス要件に従い得る。一態様では、選択されたリレーＵＥ７０３は、たとえば、ＥＵＥ７０１のためのリソースをスケジュールすることによってリレー接続７２４の確立をセットアップし得る。選択されたリレーＵＥ７０３は、ＰＳＣＣＨ上でリレー接続７２４を確立することに関連付けられたスケジューリング割当てを送り得る。
【００８４】
[0094]図７は、ＥＵＥ７０１が第１のリレーＵＥ７０３を選択する一態様を示しているが、本開示は、ＥＵＥ７０１が第２のリレーＵＥ７０５を選択する態様を包含する。同様に、図６は、ＥＵＥ６０１が第１のリレーＵＥ６０３を選択する一態様を示しているが、本開示は、ＥＵＥ６０１が第２のリレーＵＥ６０５を選択する態様を包含する。すなわち、図６および図７の構成は、例示的なものであり、限定するものでないと見なされるべきである。
【００８５】
[0095]次に図８を参照すると、フローチャートは、ワイヤレス通信のための方法８００の一態様を示す。方法８００は、図５のＥＵＥ５１０、図６のＥＵＥ６０１、および／または図７のＥＵＥ７０１などのＵＥによって実行され得る。図８では、様々な動作がオプションのものとして示されている（たとえば、破線によって示されている）。しかしながら、本開示は、様々な態様によれば方法８００の１つまたは複数の動作がオプションであり、省略され、および／または代替的に実行される、動作を企図する。さらに、方法８００の１つまたは複数の動作は、転置（transposed）されおよび／または同時に実行（contemporaneously performed）され得る。
【００８６】
[0096]最初に動作８０２から開始すると、ＥＵＥは、リレー接続の確立に関連付けられた第１のメッセージを送信する。諸態様では、第１のメッセージは、ＥＵＥに関連付けられたＩＤを含み得る。一態様では、ＥＵＥは第１のメッセージをブロードキャストし得る。別の態様では、ＥＵＥは、（たとえば、リレーＵＥに）ユニキャストを介して第１のメッセージを送信し得る。
【００８７】
[0097]図５のコンテキストでは、ＥＵＥ５１０はリレーＵＥ５０４、５０６、５０８のうちの１つまたは複数に第１のメッセージを送信し得る。図６のコンテキストでは、ＥＵＥ６０１は、リレーＵＥ６０３、６０５へのＰｒｏＳｅ発見メッセージ６１０、６１２を、各リレーにそれぞれのユニキャスト送信を介して、または両方のリレーにブロードキャスト送信を介して送信し得る。図７のコンテキストでは、ＥＵＥ７０１は、リレーＵＥ７０３、７０５へのＰｒｏＳｅ発見メッセージ７１０、７１２を、各リレーにそれぞれのユニキャスト送信を介して、または両方のリレーにブロードキャスト送信を介して送信し得る。
【００８８】
[0098]動作８０４において、ＥＵＥはリレーＵＥのセットから第２のメッセージのセットを受信する。一態様では、リレーＵＥのセットは１つのリレーＵＥであり得る。別の態様では、リレーＵＥのセットは複数のリレーＵＥを含み得る。一態様では、ＥＵＥは、ＥＵＥから第１のメッセージを受信するリレーＵＥの各々からそれぞれの第２のメッセージを受信し得る。一態様では、ＥＵＥは、それぞれの第１のメッセージ中に含まれる情報に基づいて、リレーＵＥからそれぞれの第２のメッセージを受信し得る。たとえば、リレーＵＥは第２のメッセージでＥＵＥに応答し得、ここで、リレーＵＥは、リレーサービスコードおよび／またはＰＬＭＮ  ＩＤなど、第１のメッセージ中で示される１つまたは複数の基準に一致する。
【００８９】
[0099]一態様では、各第２のメッセージはリレー関連付けメッセージであり得る。別の態様では、各第２のメッセージは発見応答メッセージであり得る。図５のコンテキストでは、ＥＵＥ５１０はリレーＵＥ５０４、５０６、５０８のうちの１つまたは複数から第２のメッセージのセットを受信し得る。図６のコンテキストでは、ＥＵＥ６０１は、リレーＵＥ６０３、６０５からリレー関連付けメッセージ６１４、６１６を受信し得る。図７のコンテキストでは、ＥＵＥ７０１は、リレーＵＥ７０３、７０５から発見応答メッセージ７１４、７１６を受信し得る。
【００９０】
[00100]動作８０５において、ＥＵＥは、少なくとも、第１のリレーＵＥからのそれぞれの第２のメッセージに基づいて、リレーＵＥのセットから第１のリレーＵＥを選択する。一態様では、第２のメッセージのセットが２つ以上の第２のメッセージを含むとき、ＥＵＥは、２つ以上の第２のメッセージに基づいてリレーの働きをすべき第１のリレーＵＥを選択し得る。たとえば、ＥＵＥは、ＥＵＥがそれについての第２のメッセージを最初に受信したリレーＵＥとのリレー接続を確立することを選び得る。たとえば、ＥＵＥが他のリレーＵＥからの他のそれぞれの第２のメッセージの前にそのリレーＵＥからそれぞれの第２のメッセージを受信したので、ＥＵＥは、それとのリレー接続を確立すべきリレーＵＥを選択し得る。
【００９１】
[00101]一態様では、ＥＵＥは、異なる基準に基づいて、または複数の基準を考察することによってリレーＵＥを選択し得る。たとえば、ＥＵＥは、ＥＵＥと１つまたは複数のリレーＵＥとの間のリンク品質などの基準に基づいてリレーＵＥを決定し得る。一態様では、ＥＵＥは、基準信号に基づくＲＳＲＰおよび／またはＲＳＲＱ測定値、測定されたビットレート、あるいはリレーＵＥがターゲットワイヤレスネットワーク、ＡＰＮ、または基地局に接続されるかどうかなど、第２のメッセージのセットのうちの各第２のメッセージに関連付けられた情報に基づいてリレーＵＥを選択し得る。
【００９２】
[00102]図５のコンテキストでは、ＥＵＥ５１０は他のリレーＵＥ５０６、５０８を選択するのではなく、第１のリレーＵＥ５０４を選択し得る。図６のコンテキストでは、ＥＵＥ６０１は、第１のリレーＵＥ６０３を選択するために動作６１８を実行し得る。図７のコンテキストでは、ＥＵＥ７０１は、第１のリレーＵＥ７０３を選択するために動作７１８を実行し得る。
【００９３】
[00103]動作８０６において、ＥＵＥは、リレーＵＥのセットのうちの第１のリレーＵＥに第３のメッセージを送る。一態様では、この第３のメッセージはリレー関連付けメッセージであり得る。別の態様では、この第３のメッセージは、ＥＵＥが第１のリレーＵＥからのリレー関連付けメッセージに基づいてその第１のリレーＵＥをリレーとして選択したことをその第１のＵＥに示すリレー関連付け応答であり得る。
【００９４】
[00104]図５のコンテキストでは、ＥＵＥ５１０は第１のリレーＵＥ５０４に第３のメッセージを送り得る。図６のコンテキストでは、ＥＵＥ６０１は、リレーＵＥ６０３にリレー関連付け応答６２０を送り得る。図７のコンテキストでは、ＥＵＥ７０１は、リレーＵＥ７０３にリレー関連付けメッセージ７２０を送り得る。
【００９５】
[00105]動作８０８において、ＥＵＥは、ＥＵＥがそれに第３のメッセージを送信した第１のリレーＵＥとのリレー接続を確立する。一態様では、ＥＵＥと第１のリレーＵＥとの間で確立されたリレー接続は、第１のメッセージおよび／または第３のメッセージにおいて指定された１つまたは複数のサービス要件に従い得る。
【００９６】
[00106]図５のコンテキストでは、ＥＵＥ５１０は第１のリレーＵＥ５０４へのリレー接続を確立し得る。図６のコンテキストでは、ＥＵＥ６０１は第１のリレーＵＥ６０３とのリレー接続６２４を確立し得る。図７のコンテキストでは、ＥＵＥは第１のリレーＵＥ７０３とのリレー接続７２４を確立し得る。
【００９７】
[00107]動作８１０において、ＥＵＥは、リレーＵＥのセットのうちの他のリレーＵＥとのリレー接続が確立されるべきでないことを示すために、他のリレーＵＥに第４のメッセージを送る。図５のコンテキストでは、ＥＵＥ５１０は他のリレーＵＥ５０６、５０８の一方または両方に第４のメッセージを送り得る。図６のコンテキストでは、ＥＵＥ６０１は他のリレーＵＥ６０５にリレー関連付け応答（ＮＡＣＫ）６２２を送り得る。図７のコンテキストでは、ＥＵＥ７０１は、選択されないリレーＵＥ７０５に第４のメッセージを送り得る。
【００９８】
[00108]動作８１２において、ＥＵＥは、リレーＵＥのセットのうちの第２のリレーＵＥから受信されたそれぞれの第２のメッセージに基づいて、その第２のリレーＵＥに関連付けられた情報を記憶する。たとえば、ＥＵＥは第２のリレーのＩＤを記憶し得る。別の態様では、ＥＵＥは、第２のリレーＵＥがそれに接続し得る１つまたは複数のＰＬＭＮの１つまたは複数のＩＤ、１つまたは複数の基地局の１つまたは複数のＩＤ、ＡＰＮ、サービスコードなどに関連付けられた情報など、第２のリレーＵＥのサービスおよび／または接続性に関連付けられた情報を記憶し得る。ＥＵＥはリレーＵＥのセットのうちの各リレーＵＥについての情報を記憶し得る。
【００９９】
[00109]図５のコンテキストでは、ＥＵＥ５１０は他のリレーＵＥ５０６、５０８についての情報を記憶し得る。図６のコンテキストでは、ＥＵＥ６０１は他のリレーＵＥ６０５についての情報を記憶し得る。図７のコンテキストでは、ＥＵＥ７０１は他のリレーＵＥ７０５についての情報を記憶し得る。
【０１００】
[00110]動作８１４において、ＥＵＥは、第１のリレーＵＥとのリレー接続が終了されるべきであるかどうかを決定する。たとえば、ＥＵＥは、リレー接続が劣化したか、および／または不要になると決定し得る。たとえば、第１のリレーＵＥおよび／またはＥＵＥはロケーションを変更し得、それにより、リレー接続の品質に影響を及ぼし得る。
【０１０１】
[00111]図５のコンテキストでは、ＥＵＥ５１０は、第１のリレーＵＥ５０４とのリレー接続が終了されるべきであるかどうかを決定し得る。図６のコンテキストでは、ＥＵＥ６０１は、第１のリレーＵＥ６０３とのリレー接続が終了されるべきであるかどうかを決定し得る。図７のコンテキストでは、ＥＵＥ７０１は、第１のリレーＵＥ７０３とのリレー接続が終了されるべきであるかどうかを決定し得る。
【０１０２】
[00112]ＥＵＥが、リレー接続が終了されるべきでないと決定した場合、ＥＵＥは、動作８１６に示されているように、確立されたリレー接続を維持する。しかしながら、ＥＵＥが、確立されたリレー接続が終了されるべきであると決定した場合、ＥＵＥは、動作８１８に示されているように、リレー接続を終了するために、第１のリレーＵＥに第５のメッセージを送り得る。
【０１０３】
[00113]図５のコンテキストでは、ＥＵＥ５１０は、確立されたリレー接続を終了するために、第１のリレーＵＥ５０４に第５のメッセージを送り得る。図６のコンテキストでは、ＥＵＥ６０１は、確立されたリレー接続６２４を終了するために、第１のリレーＵＥ６０３に第５のメッセージを送り得る。図７のコンテキストでは、ＥＵＥ７０１は、確立されたリレー接続７２４を終了するために、第１のリレーＵＥ７０３に第５のメッセージを送り得る。
【０１０４】
[00114]動作８２０において、ＥＵＥは、第２のリレーＵＥについての記憶された情報に基づいて新しいリレー接続を確立する。たとえば、ＥＵＥは、リレーＵＥのセットのうちの新たに選択された第２のリレーＵＥに、新しい第３のメッセージ（たとえば、リレー関連付けメッセージ、リレー関連付け応答など）を送り得る。
【０１０５】
[00115]図５のコンテキストでは、ＥＵＥ５１０は他のリレーＵＥ５０６、５０８のうちのいずれかとの新しいリレー接続を確立し得る。図６のコンテキストでは、ＥＵＥ６０１は第２のリレーＵＥ６０５との新しいリレー接続を確立し得る。図７のコンテキストでは、ＥＵＥ７０１は第２のリレーＵＥ７０５との新しいリレー接続を確立し得る。
【０１０６】
[00116]図９を参照すると、フローチャートは、ワイヤレス通信のための方法９００の一態様を示す。方法９００は、図５のＥＵＥ５１０および／または図６のＥＵＥ６０１などのＥＵＥによって実行され得る。図９では、様々な動作がオプションのものとして示されている（たとえば、破線によって示されている）。しかしながら、本開示は、方法９００の１つまたは複数の動作が様々な態様によればオプションであり、省略され、および／または代替的に実行される、動作を企図する。さらに、方法９００の１つまたは複数の動作は、転置されおよび／または同時に実行され得る。
【０１０７】
[00117]動作９０２において、ＥＵＥは、リレーを通したワイヤレス通信ネットワークへの接続を確立するための発見メッセージを送信する。図５のコンテキストでは、ＥＵＥ５１０はリレーＵＥ５０４、５０６、５０８のうちの１つまたは複数に第１のメッセージを送信し得る。図６のコンテキストでは、ＥＵＥ６０１は、第１のリレーＵＥ６０３にＰｒｏＳｅ発見メッセージ６１０を送り得、第２のリレーＵＥ６０５にＰｒｏＳｅ発見メッセージ６１２を送り得る。一態様では、ＥＵＥ６０１はリレーＵＥ６０３、６０５にＰｒｏＳｅ発見メッセージ６１０、６１２をブロードキャストすることができる。
【０１０８】
[00118]動作９０４において、ＥＵＥは、送信された発見メッセージに基づいて、リレーＵＥから、そのリレーＵＥとの接続を確立するための関連付けメッセージを受信する。図５のコンテキストでは、ＥＵＥ５１０はリレーＵＥ５０３から第２のメッセージを受信し得る。図６のコンテキストでは、ＥＵＥ６０１はリレーＵＥ６０３からリレー関連付けメッセージ６１４を受信し得る。一態様では、リレー関連付けメッセージ６１４は、リレーＵＥ６０３によって受信されたＰｒｏＳｅ発見メッセージ６１０に基づき得る。一態様では、ＥＵＥ６０１は、リレーＵＥ６０３から受信されたリレー関連付けメッセージ６１４からの関連付け情報を記憶し得る。
【０１０９】
[00119]動作９０６において、ＥＵＥは、（１つまたは複数の）送信された発見メッセージに基づいて、少なくとも１つの追加のリレーＵＥから、少なくとも１つの追加のリレーＵＥとの接続を確立するための少なくとも１つの追加の関連付けメッセージを受信する。図５のコンテキストでは、ＥＵＥ５１０は、リレーＵＥ５０４からの第２のメッセージに加えて、他のリレーＵＥ５０６、５０８から追加の第２のメッセージを受信し得る。図６のコンテキストでは、ＥＵＥ６０１は、ＰｒｏＳｅ発見メッセージ６１２に応答して、他のリレーＵＥ６０５からリレー関連付けメッセージ６１６をさらに受信し得る。一態様では、ＥＵＥ６０１は、リレー関連付けメッセージ６１６からの関連付け情報をオプションで記憶し得る。
【０１１０】
[00120]動作９０８において、ＥＵＥは、受信された（１つまたは複数の）リレー関連付けメッセージに基づいて、それとのリレー接続を確立すべきリレーＵＥを選択する。たとえば、ＥＵＥは関連付けメッセージのセットを受信し、次いで、関連付けメッセージのセットに基づいてリレーＵＥを選択し得る。一態様では、ＥＵＥは、どの関連付けメッセージが最初に受信されたかなど、１つまたは複数の基準に基づいてリレーＵＥを選択し得る。図５のコンテキストでは、ＥＵＥ５１０は、１つまたは複数のリレーＵＥ５０４、５０６、５０８から、第２のメッセージのセットに基づいてリレーＵＥ５０４を選択し得る。図６のコンテキストでは、ＥＵＥ６０１は、リレー関連付けメッセージ６１４、６１６に基づいてリレーＵＥ６０３を選択するための動作６１８を実行し得る。
【０１１１】
[00121]動作９１０において、ＥＵＥは、選択されたリレーＵＥとの接続の確立を確認するために応答メッセージを送る。図５のコンテキストでは、ＥＵＥ５１０は、選択されたリレーＵＥ５０４に第３のメッセージを送信し得る。図６のコンテキストでは、ＥＵＥ６０１は、選択されたリレーＵＥ６０３にリレー関連付け応答（ＡＣＫ）６２０を送り得る。
【０１１２】
[00122]動作９１２において、ＥＵＥは、選択されたリレーＵＥとのリレー接続を確立する。図５のコンテキストでは、ＥＵＥ５１０は、選択されたリレーＵＥ５０４とのリレー接続を確立し得る。図６のコンテキストでは、ＥＵＥ６０１は、選択されたリレーＵＥ６０３とのリレー接続６２４を確立し得る。
【０１１３】
[00123]動作９１４において、ＥＵＥは、選択されたリレーＵＥのうちの少なくとも１つに拒否メッセージを送る。図５のコンテキストでは、ＥＵＥ５１０は、選択されないリレーＵＥ５０６、５０８に第５のメッセージを送り得る。図６のコンテキストでは、ＥＵＥ６０１は、選択されないリレーＵＥ６０５にリレー関連付け応答（ＮＡＣＫ）６２２を送り得る。
【０１１４】
[00124]図１０は、例示的な装置１００２における異なる手段／コンポーネント間のデータフローを示す概念データフロー図１０００である。装置１００２は、ＥＵＥ５１０、ＥＵＥ６０１、および／またはＥＵＥ７０１などのＵＥであり得る。装置１００２は、異なるモジュール／手段／コンポーネント間の例示的な接続および／またはデータを示す。そのような接続および／またはデータフローは、例示的なものと見なされるべきであり、したがって、異なる態様では、異なるおよび／または追加の接続および／またはデータフローが存在し得ることを理解されたい。
【０１１５】
[00125]装置１００２は、たとえば、リレーＵＥ１０５０にメッセージを送信するように構成された送信コンポーネント１０１０を含み得る。一態様では、送信コンポーネント１０１０はメッセージングコンポーネント１０１６に結合され得る。一態様では、送信コンポーネント１０１０は、１つまたは複数のメッセージ（たとえば、第１のメッセージ）がＰＳＤＣＨ上で送信されることを引き起こし得る。
【０１１６】
[00126]メッセージングコンポーネント１０１６は、送信コンポーネント１０１０によって送信されるべきメッセージを生成し得る。一態様では、メッセージングコンポーネント１０１６は、発見（たとえば、装置１００２の発見、および／またはリレーＵＥ１０５０などのリレーＵＥの発見）に関連付けられた少なくとも第１のメッセージを生成するように構成され得る。一態様では、メッセージングコンポーネントは、装置１００２の少なくともＩＤを含むための第１のメッセージを生成するように構成され得る。一態様では、ＩＤは、装置１００２に関連付けられたＬ２  ＩＤであり得る。
【０１１７】
[00127]様々な態様では、メッセージングコンポーネント１０１６は、リレーデバイスを使用してワイヤレス通信ネットワークに接続するという装置１００２の意図を示すために第１のメッセージを生成し得る。一態様では、メッセージングコンポーネント１０１６は、装置１００２が加入することを意図するネットワークのＩＤ、または装置１００２が任意のネットワークに接続することを意図するという指示などの追加情報を含むための第１のメッセージを生成し得る。一態様では、メッセージングコンポーネント１０１６は、装置１００２が関心をもっているサービスおよび／またはリソースを示すサービスコードを含むための第１のメッセージを生成し得る。一態様では、メッセージングコンポーネント１０１６は、リレー接続に関連付けられた１つまたは複数のサービス要件を含むための第１のメッセージを生成し得る。一態様では、メッセージングコンポーネント１０１６は、リレーＵＥ１０５０など、１つまたは複数のリレーＵＥに関連付けられたＩＤを含むための第１のメッセージを生成し得る。たとえば、ＩＤは、ＰｒｏＳｅリレーＵＥ  ＩＤであり得、ＰｒｏＳｅリレーＵＥ  ＩＤは、直接通信のために使用されるリンクレイヤ識別子であり得、リレーサービスコードに関連付けられ得る。
【０１１８】
[00128]装置１００２は、信号を受信する受信コンポーネント１００４を含む。受信コンポーネント１００４は、リレーＵＥ１０５０など、別のデバイスから信号を受信し得る。一態様では、受信コンポーネント１００４は、別のＵＥ（たとえば、リレーＵＥ１０５０）のリレー接続および／または発見に関連付けられた情報を受信し得る。受信コンポーネント１００４は、少なくとも選択コンポーネント１０１２とリレー接続コンポーネント１０１４とに結合され得る。一態様では、受信コンポーネント１００４はＰＳＳＣＨ上で第２のメッセージのセットを受信し得る。一態様では、セットのうちの各第２のメッセージは、ＰＳＣＣＨ上で受信コンポーネント１００４によって受信され得るそれぞれのスケジューリング割当てに対応し得る。
【０１１９】
[00129]受信コンポーネント１００４を通して、選択コンポーネント１０１２はリレーＵＥのセットから第２のメッセージのセットを受信し得る。たとえば、選択コンポーネント１０１２は、送信コンポーネント１０１０によって送信された第１のメッセージに基づいてリレーＵＥ１０５０から第２のメッセージを受信し得る。一態様では、第２のメッセージは、リレー関連付けメッセージ（たとえば、リレー接続を確立するための要求）であり得る。別の態様では、第２のメッセージは、リレーＵＥ１０５０の利用可能性の指示（たとえば、リレーＵＥ１０５０が装置１００２の範囲内にあるという指示）であり得る。
【０１２０】
[00130]諸態様では、選択コンポーネント１０１２は、第２のメッセージのセットに基づいてリレーを選択するように構成され得る。たとえば、選択コンポーネント１０１２は、それとのリレー接続を確立すべきリレーＵＥ１０５０を選択し得る。一態様では、選択コンポーネント１０１２は、たとえば、異なるリレーＵＥが後で選択され得るように、第２のメッセージのセットに関連付けられた情報を記憶するように構成され得る。
【０１２１】
[00131]一態様では、選択コンポーネント１０１２は、選択されたリレーＵＥ１０５０に関連付けられた情報をメッセージングコンポーネント１０１６とリレー接続コンポーネント１０１４とに与えるように構成され得る。一態様では、選択されたリレーＵＥに関連付けられた情報は、選択されたリレーＵＥ１０５０の少なくともＩＤ（たとえば、選択されたリレーＵＥ１０５０のＬ２  ＩＤ）を含み得る。
【０１２２】
[00132]諸態様では、メッセージングコンポーネント１０１６は、選択されたリレーＵＥ１０５０に関連付けられた情報に基づいて第３のメッセージを生成するように構成され得る。一態様では、第３のメッセージは、リレーＵＥ１０５０からのリレー関連付けメッセージに肯定応答するリレー関連付け応答であり得る。別の態様では、第３のメッセージは、リレー関連付けメッセージ（たとえば、リレーＵＥ１０５０とのリレー接続を確立するための要求）であり得る。一態様では、第３のメッセージは、装置１００２に関連付けられたＩＤ（たとえば、装置１００２に関連付けられたＬ２  ＩＤ）を含み得る。諸態様では、メッセージングコンポーネント１０１６は、装置１００２が加入することを意図するネットワークのＩＤ、または装置１００２が任意のネットワークに接続することを意図するという指示などの追加情報を含むための第３のメッセージを生成し得る。一態様では、メッセージングコンポーネント１０１６は、装置１００２が関心をもっているサービスおよび／またはリソースを示すサービスコードを含むための第３のメッセージを生成し得る。一態様では、メッセージングコンポーネント１０１６は、リレー接続に関連付けられた１つまたは複数のサービス要件を含むための第３のメッセージを生成し得る。一態様では、メッセージングコンポーネント１０１６は、選択されたリレーＵＥ１０５０への送信のために第３のメッセージを送信コンポーネント１０１０に与え得る。
【０１２３】
[00133]諸態様では、リレー接続コンポーネント１０１４は、選択されたリレーＵＥ１０５０とのリレー接続を確立し得る。諸態様では、選択コンポーネント１０１２は、選択されたリレーＵＥに関連付けられた情報をリレー接続コンポーネント１０１４に与え得る。一態様では、この情報は、選択されたリレーＵＥ１０５０に関連付けられたスケジューリング割当て（たとえば、第２のメッセージに関連して受信コンポーネント１００４を通して受信されたスケジューリング割当て）を含み得る。一態様では、リレー接続コンポーネント１０１４は、それぞれ、送信コンポーネント１０１０と受信コンポーネント１００４とを通してリレーデータ送信および／または受信を担当し得る。
【０１２４】
[00134]本装置は、図６〜図９の上述の図およびフローチャート中のアルゴリズムのブロックの各々を実行する追加のコンポーネントを含み得る。したがって、図６〜図９の上述の図およびフローチャート中の各ブロックは、１つのコンポーネントによって実行され得、本装置は、それらのコンポーネントのうちの１つまたは複数を含み得る。コンポーネントは、述べられたプロセス／アルゴリズムを行うように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【０１２５】
[00135]図１１は、処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、プロセッサ１１０４によって表される１つまたは複数のプロセッサおよび／またはハードウェアコンポーネントと、コンポーネント１００４、１０１０、１０１２、１０１４、１０１６と、コンピュータ可読媒体／メモリ１１０６とを含む様々な回路を互いにリンクする。バス１１２４はまた、タイミングソース、周辺機器、電圧調整器、および電力管理回路など、様々な他の回路をリンクし得るが、これらの回路は当技術分野においてよく知られており、したがって、これ以上説明されない。
【０１２６】
[00136]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信コンポーネント１００４に与える。さらに、トランシーバ１１１０は、処理システム１１１４、特に送信コンポーネント１０１０から情報を受信し、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されると、任意の特定の装置のための上述された様々な機能を処理システム１１１４に実施させる。コンピュータ可読媒体／メモリ１１０６はまた、ソフトウェアを実行するときにプロセッサ１１０４によって操作されるデータを記憶するために使用され得る。処理システム１１１４は、コンポーネント１０１２、１０１４、１０１６のうちの少なくとも１つをさらに含む。それらのコンポーネントは、プロセッサ１１０４中で動作し、コンピュータ可読媒体／メモリ１１０６中に存在する／記憶されたソフトウェアコンポーネントであるか、プロセッサ１１０４に結合された１つまたは複数のハードウェアコンポーネントであるか、またはそれらの何らかの組合せであり得る。処理システム１１１４は、ＵＥ３５０のコンポーネントであり得、メモリ３６０および／またはＴＸプロセッサ３６８と、ＲＸプロセッサ３５６と、コントローラ／プロセッサ３５９とのうちの少なくとも１つを含み得る。
【０１２７】
[00137]一構成では、ワイヤレス通信のための装置１００２／１００２’は第１のＵＥのためのものであり得、リレーＵＥのセットに、リレー接続の確立に関連付けられた第１のメッセージを送信するための手段のための手段を含み得る。一態様では、第１のメッセージは第１のＵＥの第１の識別子を含み得る。一態様では、装置１００２／１００２’は、第１のＵＥによって、リレーＵＥのセットから第２のメッセージのセットを受信するための手段をさらに含む。一態様では、第２のメッセージのセットのうちの各第２のメッセージは、リレーＵＥのセットのうちのそれぞれのリレーＵＥのそれぞれの識別子を含み得る。一態様では、装置１００２／１００２’は、リレーＵＥのセットのうちの第１のリレーＵＥからの、第２のメッセージのセットのうちの第１の第２のメッセージに基づいて、第１のリレーＵＥとのリレー接続を確立するための手段をさらに含む。一態様では、送信するための手段は、第２のメッセージのセットのうちの第１の第２のメッセージに基づいて、リレーＵＥのセットのうちの第１のリレーＵＥに第３のメッセージを送信するようにさらに構成される。一態様では、第３のメッセージは、第１のリレーＵＥとのリレー接続が確立されるべきであることを確認し得る。一態様では、送信するための手段は、第２のメッセージのセットのうちの別の第２のメッセージに基づいて、リレーＵＥのセットのうちの第２のリレーＵＥに第４のメッセージを送信するようにさらに構成される。一態様では、第４のメッセージは第２のリレーＵＥとのリレー接続の確立を拒否し得る。一態様では、送信するための手段は、リレーＵＥのセットのうちの第２のリレーＵＥに第４のメッセージを送信することを控えるようにさらに構成され得る。
【０１２８】
[00138]一態様では、第１のメッセージは、リレー接続に関連付けられたサービス要件、第１のＵＥがリレー接続を通して接続すべきであるワイヤレス通信ネットワークの識別情報、任意のワイヤレス通信ネットワークとのリレー接続を確立するとの指示、またはリレーＵＥのセットのうちの少なくとも１つのリレーＵＥに関連付けられた少なくとも１つの識別子のうちの１つまたは複数をさらに含む。一態様では、第１のメッセージは、ＰＳＤＣＨ上でブロードキャストされるＰｒｏＳｅ発見メッセージを含む。
【０１２９】
[00139]一態様では、第２のメッセージは、ＰＳＳＣＨ上で受信されるリレー関連付けメッセージを含み、対応するスケジューリング割当てはＰＳＣＣＨ上で受信される。一態様では、第１の識別子およびそれぞれの識別子はリンクレイヤ識別子である。
【０１３０】
[00140]一態様では、送信するための手段は、リレーＵＥのセットのうちの第１のリレーＵＥに第５のメッセージを送信するようにさらに構成され、第５のメッセージは、リレー接続を終了するためのものである。一態様では、装置１００２／１００２’は、第２のメッセージのセットのうちの別の第２のメッセージに基づいて、リレーＵＥのセットのうちの第２のリレーＵＥに関連付けられた情報を記憶するための手段をさらに含む。一態様では、リレー接続を確立するための手段は、記憶された情報に基づいて第２のリレーＵＥとの別のリレー接続を確立するようにさらに構成される。
【０１３１】
[00141]上述の手段は、上述の手段によって具陳された機能を実行するように構成された、装置１００２、および／または装置１００２’の処理システム１１１４の上述のコンポーネントのうちの１つまたは複数であり得る。上記で説明されたように、処理システム１１１４は、ＴＸプロセッサ３６８と、ＲＸプロセッサ３５６と、コントローラ／プロセッサ３５９とを含み得る。したがって、一構成では、上述の手段は、上述の手段によって具陳された機能を実行するように構成されたＴＸプロセッサ３６８と、ＲＸプロセッサ３５６と、コントローラ／プロセッサ３５９とであり得る。
【０１３２】
[00142]開示されるプロセス／フローチャート中のブロックの特定の順序または階層は、例示的な手法の一例であることを理解されたい。設計選好に基づいて、プロセス／フローチャート中のブロックの特定の順序または階層は再構成され得ることを理解されたい。さらに、いくつかのブロックは組み合わせられるかまたは省略され得る。添付の方法クレームは、様々なブロックの要素を例示的な順序で提示したものであり、提示された特定の順序または階層に限定されるものではない。
【０１３３】
[00143]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的均等物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
【図１】
2018512803.tif 000003
【図２Ａ】
2018512803.tif 000004
【図２Ｂ】
2018512803.tif 000005
【図２Ｃ】
2018512803.tif 000006
【図２Ｄ】
2018512803.tif 000007
【図３】
2018512803.tif 000008
【図４】
2018512803.tif 000009
【図５】
2018512803.tif 000010
【図６】
2018512803.tif 000011
【図７】
2018512803.tif 000012
【図８】
2018512803.tif 000013
【図９】
2018512803.tif 000014
【図１０】
2018512803.tif 000015
【図１１】
2018512803.tif 000016
【国際調査報告】
2018512803.tif 000017
2018512803.tif 000018
2018512803.tif 000019
2018512803.tif 000020